(57)【特許請求の範囲】
【請求項１】
無線通信システムにおいて端末によりＰＵＣＣＨ（Ｐｈｙｓｉｃａｌ  Ｕｐｌｉｎｋ  Ｃｏｎｔｒｏｌ  Ｃｈａｎｎｅｌ）を介してＵＣＩ（Ｕｐｌｉｎｋ  Ｃｏｎｔｒｏｌ  Ｉｎｆｏｒｍａｔｉｏｎ）を転送する方法であって、前記方法は、
変調方式及びサブフレーム内で転送されるビット数によって区分されるＰＵＣＣＨフォーマットに従属的な値に基づいて前記サブフレームのアップリンク制御チャンネルに適用する転送電力を決定することと、
前記アップリンク制御チャンネルで前記決定された転送電力で少なくとも１種類のＵＣＩを転送することと
を含み、
前記ＰＵＣＣＨフォーマットが前記変調方式にＱＰＳＫ（Ｑｕａｄｒａｔｕｒｅ  Ｐｈａｓｅ  Ｓｈｉｆｔ  Ｋｅｙｉｎｇ）を使用し、４８ビットが転送可能であるＰＵＣＣＨフォーマット３である場合、及び、前記少なくとも１種類のＵＣＩがＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）及び周期的ＣＳＩ（Ｃｈａｎｎｅｌ  Ｓｔａｔｅ  Ｉｎｆｏｒｍａｔｉｏｎ）を含む場合に、
前記ＰＵＣＣＨフォーマットに従属的な値は、前記ＡＣＫ／ＮＡＣＫのビット数及び前記周期的ＣＳＩのビット数に基づいて決定され、
前記少なくとも１種類のＵＣＩが単一アンテナポートで転送され、総合が１１ビットより大きいか、または、２つのアンテナポートを介してＰＵＣＣＨフォーマット３が転送されるように設定された場合には、前記ＰＵＣＣＨフォーマットに従属的な値は次の＜数式１＞のように決定され、
前記少なくとも１種類のＵＣＩが単一アンテナポートで転送され、総合が１１ビット以下の場合には、前記ＰＵＣＣＨフォーマットに従属的な値は＜数式２＞のように決定され、
＜数式１＞
ｈ（ｎＣＱＩ，ｎＨＡＲＱ，ｎＳＲ）＝（ｎＨＡＲＱ＋ｎＳＲ＋ｎＣＱＩ−１）／３
＜数式２＞
ｈ（ｎＣＱＩ，ｎＨＡＲＱ，ｎＳＲ）＝（ｎＨＡＲＱ＋ｎＳＲ＋ｎＣＱＩ−１）／２
ここで、＜数式１＞及び＜数式２＞で、ｈ（ｎＣＱＩ，ｎＨＡＲＱ，ｎＳＲ）は前記ＰＵＣＣＨフォーマットに従属的な値を表し、ｎＨＡＲＱは前記ＡＣＫ／ＮＡＣＫのビット数を表し、ｎＣＱＩは前記周期的ＣＳＩのビット数を表し、ｎＳＲは、前記サブフレームがＳＲ（Ｓｃｈｅｄｕｌｉｎｇ  Ｒｅｑｕｅｓｔ）のために設定される場合には１であり、それ以外の場合には０である、方法。
【請求項２】
前記端末が動作するサービングセルが前記端末が基地局との最初連結確立過程または連結再確立過程を遂行するプライマリセルである場合、
前記転送電力は、前記サブフレームで設定された端末の最大出力電力と前記ＰＵＣＣＨフォーマットに従属的な値に基づいて決定された電力のうち、最小値に決定される、請求項１に記載の方法。
【請求項３】
前記ＡＣＫ／ＮＡＣＫが前記ＰＵＣＣＨフォーマット３に含まれる参照信号シンボルの変調を通じて転送される場合、前記参照信号シンボルの変調を通じて転送されるＡＣＫ／ＮＡＣＫのビット数はｎＨＡＲＱに含まれない、請求項１に記載の方法。
【請求項４】
前記少なくとも１種類のＵＣＩが前記ＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）またはＳＲ（Ｓｃｈｅｄｕｌｉｎｇ  Ｒｅｑｕｅｓｔ）のみを含み、総合が１１ビットより大きい場合、または２つのアンテナポートを介して前記ＰＵＣＣＨフォーマット３が転送されるように設定された場合には、前記ＰＵＣＣＨフォーマットに従属的な値は次の＜数式３＞のように決定され、それ以外の場合には、前記ＰＵＣＣＨフォーマットに従属的な値は＜数式４＞のように決定され、
＜数式３＞
ｈ（ｎＣＱＩ，ｎＨＡＲＱ，ｎＳＲ）＝（ｎＨＡＲＱ＋ｎＳＲ−１）／３
＜数式４＞
ｈ（ｎＣＱＩ，ｎＨＡＲＱ，ｎＳＲ）＝（ｎＨＡＲＱ＋ｎＳＲ−１）／２
ここで、＜数式３＞及び＜数式４＞で、ｈ（ｎＣＱＩ，ｎＨＡＲＱ，ｎＳＲ）は前記ＰＵＣＣＨフォーマットに従属的な値を表し、ｎＨＡＲＱは前記ＡＣＫ／ＮＡＣＫのビット数を表し、ｎＳＲは、前記サブフレームがＳＲ（Ｓｃｈｅｄｕｌｉｎｇ  Ｒｅｑｕｅｓｔ）のために設定される場合には１であり、それ以外の場合には０である、請求項１に記載の方法。
【請求項５】
前記少なくとも１種類のＵＣＩはジョイントコーディングされる、請求項１に記載の方法。
【請求項６】
無線信号を転送または受信するＲＦ（Ｒａｄｉｏ  Ｆｒｅｑｕｅｎｃｙ）部と、
前記ＲＦ部と連結されるプロセッサと
を含む端末であって、
前記プロセッサは、
変調方式及びサブフレーム内で転送されるビット数によって区分されるＰＵＣＣＨフォーマットに従属的な値に基づいて前記サブフレームのアップリンク制御チャンネルに適用する転送電力を決定することと、
前記アップリンク制御チャンネルで前記決定された転送電力で少なくとも１種類のＵＣＩを転送することと
を実行するように構成され、
前記ＰＵＣＣＨフォーマットが前記変調方式にＱＰＳＫ（Ｑｕａｄｒａｔｕｒｅ  Ｐｈａｓｅ  Ｓｈｉｆｔ  Ｋｅｙｉｎｇ）を使用し、４８ビットが転送可能であるＰＵＣＣＨフォーマット３である場合、及び、前記少なくとも１種類のＵＣＩがＡＣＫ／ＮＡＣＫ（Ａｃｋｎｏｗｌｅｄｇｅｍｅｎｔ／Ｎｏｔ−Ａｃｋｎｏｗｌｅｄｇｅｍｅｎｔ）及び周期的ＣＳＩ（Ｃｈａｎｎｅｌ  Ｓｔａｔｅ  Ｉｎｆｏｒｍａｔｉｏｎ）を含む場合に、
前記ＰＵＣＣＨフォーマットに従属的な値は、前記ＡＣＫ／ＮＡＣＫのビット数及び前記周期的ＣＳＩのビット数に基づいて決定され、
前記少なくとも１種類のＵＣＩが単一アンテナポートで転送され、総合が１１ビットより大きいか、または、２つのアンテナポートを介してＰＵＣＣＨフォーマット３が転送されるように設定された場合には、前記ＰＵＣＣＨフォーマットに従属的な値は次の＜数式１＞のように決定され、
前記少なくとも１種類のＵＣＩが単一アンテナポートで転送され、総合が１１ビット以下の場合には、前記ＰＵＣＣＨフォーマットに従属的な値は＜数式２＞のように決定され、
＜数式１＞
ｈ（ｎＣＱＩ，ｎＨＡＲＱ，ｎＳＲ）＝（ｎＨＡＲＱ＋ｎＳＲ＋ｎＣＱＩ−１）／３
＜数式２＞
ｈ（ｎＣＱＩ，ｎＨＡＲＱ，ｎＳＲ）＝（ｎＨＡＲＱ＋ｎＳＲ＋ｎＣＱＩ−１）／２
ここで、＜数式１＞及び＜数式２＞で、ｈ（ｎＣＱＩ，ｎＨＡＲＱ，ｎＳＲ）は前記ＰＵＣＣＨフォーマットに従属的な値を表し、ｎＨＡＲＱは前記ＡＣＫ／ＮＡＣＫのビット数を表し、ｎＣＱＩは前記周期的ＣＳＩのビット数を表し、ｎＳＲは、前記サブフレームがＳＲ（Ｓｃｈｅｄｕｌｉｎｇ  Ｒｅｑｕｅｓｔ）のために設定される場合には１であり、それ以外の場合には０である、端末。
【発明の詳細な説明】
【技術分野】
【０００１】
本発明は無線通信に関し、より詳しくは、無線通信システムにおけるアップリンク制御情報転送方法及び装置に関する。
【背景技術】
【０００２】
広帯域無線通信システムの場合、限定された無線資源の効率性を極大化するために効果的な送受信技法及び活用方案が提案されてきた。次世代の無線通信システムで考慮されているシステムのうちの１つが低い複雑度でシンボル間干渉（ＩＳＩ：Ｉｎｔｅｒ−Ｓｙｍｂｏｌ  Ｉｎｔｅｒｆｅｒｅｎｃｅ）効果を減殺させることができる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは直列に入力されるデータシンボルをＮ個の並列データシンボルに変換して、各々分離されたＮ個の副搬送波（ｓｕｂｃａｒｒｉｅｒ）に乗せて転送する。副搬送波は、周波数次元で直交性を維持するようにする。各々の直交チャンネルは相互独立的な周波数選択的フェーディング（ｆｒｅｑｕｅｎｃｙ  ｓｅｌｅｃｔｉｖｅ  ｆａｄｉｎｇ）を経験するようになり、これによって受信端での複雑度が減少し、転送されるシンボルの間隔が長くなって、シンボル間干渉が最小化できる。
【０００３】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：以下、ＯＦＤＭＡ）は、ＯＦＤＭを変調方式に使用するシステムにおいて、利用可能な副搬送波の一部を各ユーザに独立的に提供して多重接続を実現する多重接続方法をいう。ＯＦＤＭＡは副搬送波という周波数資源を各ユーザに提供し、各々の周波数資源は多数のユーザに独立的に提供されて互いに重畳しないことが一般的である。結局、周波数資源はユーザ毎に相互排他的に割り当てられる。ＯＦＤＭＡシステムにおいて周波数選択的スケジューリング（ｆｒｅｑｕｅｎｃｙ  ｓｅｌｅｃｔｉｖｅ  ｓｃｈｅｄｕｌｉｎｇ）を通じて多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。そして、多重アンテナ（ｍｕｌｔｉｐｌｅ  ａｎｔｅｎｎａ）を用いた空間多重化技法により空間領域の効率性を高めることができる。
【０００４】
ＭＩＭＯ（Ｍｕｌｔｉｐｌｅ−Ｉｎｐｕｔ  Ｍｕｌｔｉｐｌｅ−Ｏｕｔｐｕｔ）技術は、多重送信アンテナ及び多重受信アンテナを使用してデータの送受信効率を向上させる。ＭＩＭＯシステムにおいて、ダイバーシティを具現するための技法にはＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、空間多重化（ＳＭ：Ｓｐａｔｉａｌ  Ｍｕｌｔｉｐｌｅｘｉｎｇ）などがある。受信アンテナ数と送信アンテナ数に従うＭＩＭＯチャンネル行列は多数の独立チャンネルに分解できる。各々の独立チャンネルはレイヤ（ｌａｙｅｒ）またはストリーム（ｓｔｒｅａｍ）という。レイヤの個数はランク（ｒａｎｋ）という。
【０００５】
アップリンク制御チャンネル（ＰＵＣＣＨ：Ｐｈｙｓｉｃａｌ  Ｕｐｌｉｎｋ  Ｃｏｎｔｒｏｌ  Ｃｈａｎｎｅｌ）を介してアップリンク制御情報（ＵＣＩ：Ｕｐｌｉｎｋ  Ｃｏｎｔｒｏｌ  Ｉｎｆｏｒｍａｔｉｏｎ）が転送できる。アップリンク制御情報は、スケジューリング要請（ＳＲ：Ｓｃｈｅｄｕｌｉｎｇ  Ｒｅｑｕｅｓｔ）、ＨＡＲＱ（Ｈｙｂｒｉｄ  ＡＲＱ）のためのＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）などの多様な種類の情報を含むことができる。ＰＵＣＣＨは、フォーマット（ｆｏｒｍａｔ）に従って多様な種類の制御情報を運ぶ。
【０００６】
最近、搬送波集成システム（ｃａｒｒｉｅｒ  ａｇｇｒｅｇａｔｉｏｎ  ｓｙｓｔｅｍ）が注目されている。搬送波集成システムは、無線通信システムが広帯域をサポートしようとする時、目標とする広帯域より小さい帯域幅を有する１つ以上の搬送波を集めて広帯域を構成するシステムを意味する。
【０００７】
搬送波集成システムにおいて、多様な種類のアップリンク制御情報を効率的で、かつ信頼性あるように転送するための方法が必要である。  特に、周期的ＣＳＩ（例えば、ＣＱＩ）とＡＣＫ／ＮＡＣＫとが同一サブフレームのＰＵＣＣＨを介して同時に転送される場合、如何なる方式でその転送電力を決定することかが問題になることがある。
【発明の概要】
【発明が解決しようとする課題】
【０００８】
本発明の技術的課題は、無線通信システムにおけるアップリンク制御情報転送方法及び装置を提供することにある。
【課題を解決するための手段】
【０００９】
一態様によれば、無線通信システムにおいて、端末がアップリンク制御チャンネル（ｐｈｙｓｉｃａｌ  ｕｐｌｉｎｋ  ｃｏｎｔｒｏｌ  ｃｈａｎｎｅｌ：ＰＵＣＣＨ）を介してアップリンク制御情報（Ｕｐｌｉｎｋ  Ｃｏｎｔｒｏｌ  Ｉｎｆｏｒｍａｔｉｏｎ：ＵＣＩ）を転送する方法を提供する。上記方法は、変調方式及びサブフレーム内で転送されるビット数によって区分されるＰＵＣＣＨフォーマットに従属的な値に基づいて上記サブフレームのアップリンク制御チャンネルに適用する転送電力を決定し、及び上記アップリンク制御チャンネルで上記決定された転送電力で少なくとも１種類のＵＣＩを転送し、かつ
【００１０】
上記ＰＵＣＣＨフォーマットが上記変調方式にＱＰＳＫ（ｑｕａｄｒａｔｕｒｅ  ｐｈａｓｅ  ｓｈｉｆｔ  ｋｅｙｉｎｇ）を使用し、上記サブフレーム内で転送されるビット数が４８ビットであるＰＵＣＣＨフォーマット３であり、上記少なくとも１種類のＵＣＩがＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）及び周期的チャンネル状態情報（ｃｈａｎｎｅｌ  ｓｔａｔｅ  ｉｎｆｏｒｍａｔｉｏｎ：ＣＳＩ）を含めば、上記ＰＵＣＣＨフォーマットに従属的な値は上記ＡＣＫ／ＮＡＣＫのビット数及び上記周期的ＣＳＩのビット数に基づいて決定されることを特徴とする。
【００１１】
他の態様によれば、提供される端末は無線信号を転送または受信するＲＦ（Ｒａｄｉｏ  Ｆｒｅｑｕｅｎｃｙ）部、及び上記ＲＦ部と連結されるプロセッサを含み、かつ上記プロセッサは変調方式及びサブフレーム内で転送されるビット数によって区分されるＰＵＣＣＨフォーマットに従属的な値に基づいて上記サブフレームのアップリンク制御チャンネルに適用する転送電力を決定し、及び上記アップリンク制御チャンネルで上記決定された転送電力で少なくとも１種類のＵＣＩを転送し、かつ上記ＰＵＣＣＨフォーマットが上記変調方式にＱＰＳＫ（ｑｕａｄｒａｔｕｒｅ  ｐｈａｓｅ  ｓｈｉｆｔ  ｋｅｙｉｎｇ）を使用し、上記サブフレーム内で転送されるビット数が４８ビットであるＰＵＣＣＨフォーマット３であり、上記少なくとも１種類のＵＣＩがＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）及び周期的チャンネル状態情報（ｃｈａｎｎｅｌ  ｓｔａｔｅ  ｉｎｆｏｒｍａｔｉｏｎ：ＣＳＩ）を含めば、上記ＰＵＣＣＨフォーマットに従属的な値は上記ＡＣＫ／ＮＡＣＫのビット数及び上記周期的ＣＳＩのビット数に基づいて決定されることを特徴とする。
本明細書は、例えば、以下の項目も提供する。
（項目１）
無線通信システムにおける端末がアップリンク制御チャンネル（ｐｈｙｓｉｃａｌ  ｕｐｌｉｎｋ  ｃｏｎｔｒｏｌ  ｃｈａｎｎｅｌ：ＰＵＣＣＨ）を介してアップリンク制御情報（Ｕｐｌｉｎｋ  Ｃｏｎｔｒｏｌ  Ｉｎｆｏｒｍａｔｉｏｎ：ＵＣＩ）を転送する方法であって、
変調方式及びサブフレーム内で転送されるビット数によって区分されるＰＵＣＣＨフォーマットに従属的な値に基づいて前記サブフレームのアップリンク制御チャンネルに適用する転送電力を決定し、及び
前記アップリンク制御チャンネルで前記決定された転送電力で少なくとも１種類のＵＣＩを転送し、かつ、
前記ＰＵＣＣＨフォーマットが前記変調方式でＱＰＳＫ（ｑｕａｄｒａｔｕｒｅ  ｐｈａｓｅ  ｓｈｉｆｔ  ｋｅｙｉｎｇ）を使用し、前記サブフレーム内で転送されるビット数が４８ビットであるＰＵＣＣＨフォーマット３であり、前記少なくとも１種類のＵＣＩがＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）及び周期的チャンネル状態情報（ｃｈａｎｎｅｌ  ｓｔａｔｅ  ｉｎｆｏｒｍａｔｉｏｎ：ＣＳＩ）を含めば、
前記ＰＵＣＣＨフォーマットに従属的な値は前記ＡＣＫ／ＮＡＣＫのビット数及び前記周期的ＣＳＩのビット数に基づいて決定されることを特徴とする、方法。
（項目２）
前記端末が動作するサービングセルが前記端末が基地局との最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程を遂行するプライマリセルの場合、
前記転送電力は、前記サブフレームで設定された端末の最大出力電力と前記ＰＵＣＣＨフォーマットに従属的な値に基づいて決定された電力のうち、最小値に決定されることを特徴とする、項目１に記載の方法。
（項目３）
前記少なくとも１種類のＵＣＩが単一アンテナポートで転送され、総合が１１ビットより大きいか、または、
２つのアンテナポートを介して前記ＰＵＣＣＨフォーマット３を転送するように設定された場合、前記ＰＵＣＣＨフォーマットに従属的な値は次の＜数式１＞のように決定され、
前記少なくとも１種類のＵＣＩが単一アンテナポートで転送され、総合が１１ビット以下の場合には、＜数式２＞のように決定されることを特徴とする、項目１に記載の方法。
（数１）
ｈ（ｎＣＱＩ、ｎＨＡＲＱ、ｎＳＲ）＝（ｎＨＡＲＱ＋ｎＳＲ＋ｎＣＱＩ−１）／３
（数２）
ｈ（ｎＣＱＩ、ｎＨＡＲＱ、ｎＳＲ）＝（ｎＨＡＲＱ＋ｎＳＲ＋ｎＣＱＩ−１）／２
但し、前記＜数式１＞及び＜数式２＞で、ｈ（ｎＣＱＩ、ｎＨＡＲＱ、ｎＳＲ）は前記ＰＵＣＣＨフォーマットに従属的な値を表し、ｎＨＡＲＱは前記ＡＣＫ／ＮＡＣＫのビット数、ｎＣＱＩは前記周期的ＣＳＩのビット数、ｎＳＲは前記サブフレームがスケジューリング要請（ｓｃｈｅｄｕｌｉｎｇ  ｒｅｑｕｅｓｔ：ＳＲ）のために設定されれば１であり、その以外の場合には０である。
（項目４）
前記ＡＣＫ／ＮＡＣＫが前記ＰＵＣＣＨフォーマット３に含まれる参照信号シンボルの変調を通じて転送される場合、前記参照信号シンボルの変調を通じて転送されるＡＣＫ／ＮＡＣＫのビット数は前記ｎＨＡＲＱに含まれないことを特徴とする、項目３に記載の方法。
（項目５）
前記少なくとも１種類のＵＣＩが前記周期的ＣＳＩ無しで前記ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）またはスケジューリング要請（ｓｃｈｅｄｕｌｉｎｇ  ｒｅｑｕｅｓｔ：ＳＲ）のみ含み、総合が１１ビットより大きい場合、または２つのアンテナポートを介して前記ＰＵＣＣＨフォーマット３を転送するように設定された場合、前記ＰＵＣＣＨフォーマットに従属的な値は次の＜数式３＞のように決定され、その以外の場合には＜数式４＞のように決定されることを特徴とする、項目１に記載の方法。
（数３）
ｈ（ｎＣＱＩ、ｎＨＡＲＱ、ｎＳＲ）＝（ｎＨＡＲＱ＋ｎＳＲ−１）／３
（数４）
ｈ（ｎＣＱＩ、ｎＨＡＲＱ、ｎＳＲ）＝（ｎＨＡＲＱ＋ｎＳＲ−１）／２
但し、前記＜数式３＞及び＜数式４＞で、ｈ（ｎＣＱＩ、ｎＨＡＲＱ、ｎＳＲ）は前記ＰＵＣＣＨフォーマットに従属的な値を表し、ｎＨＡＲＱは前記ＡＣＫ／ＮＡＣＫのビット数、ｎＳＲは前記サブフレームがスケジューリング要請（ｓｃｈｅｄｕｌｉｎｇ  ｒｅｑｕｅｓｔ：ＳＲ）のために設定されれば１であり、その以外の場合には０である。
（項目６）
前記少なくとも１種類のＵＣＩはジョイントコーディングされることを特徴とする、項目１に記載の方法。
（項目７）
無線信号を転送または受信するＲＦ（Ｒａｄｉｏ  Ｆｒｅｑｕｅｎｃｙ）部、及び
前記ＲＦ部と連結されるプロセッサを含み、かつ、
前記プロセッサは変調方式及びサブフレーム内で転送されるビット数によって区分されるＰＵＣＣＨフォーマットに従属的な値に基づいて前記サブフレームのアップリンク制御チャンネルに適用する転送電力を決定し、及び
前記アップリンク制御チャンネルで前記決定された転送電力で少なくとも１種類のＵＣＩを転送し、かつ、
前記ＰＵＣＣＨフォーマットが前記変調方式にＱＰＳＫ（ｑｕａｄｒａｔｕｒｅ  ｐｈａｓｅ  ｓｈｉｆｔ  ｋｅｙｉｎｇ）を使用し、前記サブフレーム内で転送されるビット数が４８ビットであるＰＵＣＣＨフォーマット３であり、前記少なくとも１種類のＵＣＩがＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）及び周期的チャンネル状態情報（ｃｈａｎｎｅｌ  ｓｔａｔｅ  ｉｎｆｏｒｍａｔｉｏｎ：ＣＳＩ）を含めば、
前記ＰＵＣＣＨフォーマットに従属的な値は前記ＡＣＫ／ＮＡＣＫのビット数及び前記周期的ＣＳＩのビット数に基づいて決定されることを特徴とする、端末。
【発明の効果】
【００１２】
互いに異なる種類のアップリンク制御情報（ＵＣＩ：Ｕｐｌｉｎｋ  Ｃｏｎｔｒｏｌ  Ｉｎｆｏｒｍａｔｉｏｎ）を同一サブフレーム（ｓｕｂｆｒａｍｅ）で転送する必要がある時、転送電力を効率的に決定することができる。特に、ＰＵＣＣＨを介して周期的ＣＳＩとＡＣＫ／ＮＡＣＫとが同時に転送される場合、周期的ＣＳＩとＡＣＫ／ＮＡＣＫのビット数を考慮して、その転送電力を決定するので、従来の技術に比べて信頼性あるようにＵＣＩを転送することができる。
【図面の簡単な説明】
【００１３】
【図１】３ＧＰＰ  ＬＴＥにおける無線フレーム（ｒａｄｉｏ  ｆｒａｍｅ）の構造を示す。
【図２】１つのダウンリンクスロットに対する資源グリッド（ｒｅｓｏｕｒｃｅ  ｇｒｉｄ）の一例を示す。
【図３】ダウンリンクサブフレームの構造を示す。
【図４】アップリンクサブフレームの構造を示す。
【図５】単一搬送波システムと搬送波集成システムとの比較例である。
【図６】ノーマルＣＰで１つのスロットに対するＰＵＣＣＨフォーマット２／２ａ／２ｂのチャンネル構造を示す。
【図７】ノーマルＣＰでの１つのスロットに対するＰＵＣＣＨフォーマット１ａ／１ｂを示す。
【図８】ノーマルＣＰ、ＰＵＣＣＨフォーマット２ａ／２ｂでＡＣＫ／ＮＡＣＫの星状マッピングの例を示す。
【図９】拡張ＣＰでＡＣＫ／ＮＡＣＫとＣＱＩとのジョイントコーディングの例を示す。
【図１０】ＡＣＫ／ＮＡＣＫとＳＲとが多重化する方法を示す。
【図１１】ＡＣＫ／ＮＡＣＫとＳＲとが同時転送される場合の星状マッピングを示す。
【図１２】チャンネルコーディングされたビットがコード−時間−周波数資源にマッピングされる例を示す。
【図１３】ＰＵＣＣＨフォーマット３のチャンネル構造を例示する。
【図１４】二重ＲＭコーディング過程を例示する。
【図１５】端末のＰＵＣＣＨを介してのＵＣＩ転送過程を示す。
【図１６】本発明の一実施形態に従う端末のＰＵＣＣＨに対する転送電力決定方法を示す。
【図１７】本発明の実施形態が具現される基地局及び端末を示すブロック図である。
【発明を実施するための形態】
【００１４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使用できる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現できる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術で具現できる。ＩＥＥＥ  ８０２．１６ｍは、ＩＥＥＥ  ８０２．１６ｅの進化で、ＩＥＥＥ  ８０２．１６ｅに基盤したシステムとの下位互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。説明を明確にするために、ＬＴＥ／ＬＴＥ−Ａを中心に記述するが、本発明の技術的思想がこれに制限されるものではない。
【００１５】
無線通信システムは、少なくとも１つの基地局（Ｂａｓｅ  Ｓｔａｔｉｏｎ：ＢＳ）を含む。各基地局は、特定の地理的領域に対して通信サービスを提供する。端末（Ｕｓｅｒ  Ｅｑｕｉｐｍｅｎｔ：ＵＥ）は固定されるか、または移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）など、他の用語と呼ばれることができる。基地局は、一般的に端末と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など、他の用語と呼ばれることができる。
【００１６】
端末は、通常的に１つのセルに属するが、端末が属したセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。サービング基地局は１つまたは複数のサービングセルを提供することができる。
【００１７】
この技術はダウンリンク（ｄｏｗｎｌｉｎｋ）またはアップリンク（ｕｐｌｉｎｋ）に使用できる。一般的に、ダウンリンクは基地局から端末への通信を意味し、アップリンクは端末から基地局への通信を意味する。
【００１８】
端末と基地局との間の無線インターフェースプロトコル（ｒａｄｉｏ  ｉｎｔｅｒｆａｃｅ  ｐｒｏｔｏｃｏｌ）の階層は通信システムで広く知られた開放型システム間の相互接続（Ｏｐｅｎ  Ｓｙｓｔｅｍ  Ｉｎｔｅｒｃｏｎｎｅｃｔｉｏｎ：ＯＳＩ）モデルの下位３個階層に基づいてＬ１（第１階層）、Ｌ２（第２階層）、及びＬ３（第３階層）に区分できる。
【００１９】
第１階層である物理階層（Ｐｈｙｓｉｃａｌ  Ｌａｙｅｒ）は、上位にある媒体連結制御（Ｍｅｄｉｕｍ  Ａｃｃｅｓｓ  Ｃｏｎｔｒｏｌ：ＭＡＣ）階層とは転送チャンネル（ｔｒａｎｓｐｏｒｔ  ｃｈａｎｎｅｌ）を介して連結されており、この転送チャンネルを介してＭＡＣと物理階層との間のデータが移動する。そして、互いに異なる物理階層間、即ち転送側と受信側の物理階層の間は物理チャンネル（Ｐｈｙｓｉｃａｌ  Ｃｈａｎｎｅｌ）を介してデータが移動する。
【００２０】
第２階層である無線データリンク階層は、ＭＡＣ階層、ＲＬＣ階層、及びＰＤＣＰ階層から構成される。ＭＡＣ階層は、論理チャンネルと転送チャンネルとの間のマッピングを担当する階層であって、ＲＬＣ階層から伝達されたデータを転送するために適切な転送チャンネルを選択し、必要な制御情報をＭＡＣ  ＰＤＵ（Ｐｒｏｔｏｃｏｌ  Ｄａｔａ  Ｕｎｉｔ）のヘッダ（ｈｅａｄｅｒ）に追加する。
【００２１】
ＲＬＣ階層は、ＭＡＣの上位に位置してデータの信頼性ある転送をサポートする。また、ＲＬＣ階層は無線区間に合う適切なサイズのデータを構成するために上位階層から伝達されたＲＬＣ  ＳＤＵ（Ｓｅｒｖｉｃｅ  Ｄａｔａ  Ｕｎｉｔ）を分割（Ｓｅｇｍｅｎｔａｔｉｏｎ）し、連結（Ｃｏｎｃａｔｅｎａｔｉｏｎ）する。受信機のＲＬＣ階層は、受信したＲＬＣ  ＰＤＵから元のＲＬＣ  ＳＤＵを復旧するためにデータの再結合（Ｒｅａｓｓｅｍｂｌｅ）機能をサポートする。
【００２２】
ＰＤＣＰ階層はパケット交換領域のみで使われ、無線チャンネルでパケットデータの転送効率を高めることができるようにＩＰパケットのヘッダを圧縮して転送することができる。
【００２３】
第３階層であるＲＲＣ階層は、下位階層を制御する役割と共に、端末とネットワークとの間で無線資源制御情報を交換する。端末の通信状態によって休止モード（Ｉｄｌｅ  Ｍｏｄｅ）、ＲＲＣ連結モード（Ｃｏｎｎｅｃｔｅｄ  Ｍｏｄｅ）など、多様なＲＲＣ状態が定義され、必要によってＲＲＣ状態間の転移が可能である。ＲＲＣ階層では、システム情報放送、ＲＲＣ接続管理手続、多重要素搬送波設定手続、無線ベアラー（Ｒａｄｉｏ  Ｂｅａｒｅｒ）制御手続、保安手続、測定手続、移動性管理手続（ハンドオーバー）など、無線資源管理と関連した多様な手続が定義される。
【００２４】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうち、いずれか１つでありうる。ＭＩＭＯシステムは、多数の転送アンテナ（ｔｒａｎｓｍｉｔ  ａｎｔｅｎｎａ）及び多数の受信アンテナ（ｒｅｃｅｉｖｅ  ａｎｔｅｎｎａ）を使用する。ＭＩＳＯシステムは、多数の転送アンテナ及び１つの受信アンテナを使用する。ＳＩＳＯシステムは、１つの転送アンテナ及び１つの受信アンテナを使用する。ＳＩＭＯシステムは、１つの転送アンテナ及び多数の受信アンテナを使用する。以下、転送アンテナは１つの信号またはストリームを転送することに使われる物理的または論理的アンテナを意味し、受信アンテナは１つの信号またはストリームを受信することに使われる物理的または論理的アンテナを意味する。
【００２５】
図１は、３ＧＰＰ  ＬＴＥにおける無線フレーム（ｒａｄｉｏ  ｆｒａｍｅ）の構造を示す。
【００２６】
これは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０  （２００８−０３）  "Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｃｈａｎｎｅｌｓ  ａｎｄ  ｍｏｄｕｌａｔｉｏｎ  （Ｒｅｌｅａｓｅ  ８）"の５節を参照することができる。図１を参照すると、無線フレームは１０個のサブフレーム（ｓｕｂｆｒａｍｅ）から構成され、１つのサブフレームは２つのスロット（ｓｌｏｔ）から構成される。無線フレーム内のスロットは＃０から＃１９までスロット番号が付けられる。１つのサブフレームの転送にかかる時間をＴＴＩ（Ｔｒａｎｓｍｉｓｓｉｏｎ  Ｔｉｍｅ  Ｉｎｔｅｒｖａｌ）という。ＴＴＩは、データ転送のためのスケジューリング単位ということができる。例えば、１つの無線フレームの長さは１０ｍｓであり、１つのサブフレームの長さは１ｍｓであり、１つのスロットの長さは０．５ｍｓでありうる。
【００２７】
１つのスロットは時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波（ｓｕｂｃａｒｒｉｅｒ）を含む。ＯＦＤＭシンボルは、３ＧＰＰ  ＬＴＥがダウンリンクでＯＦＤＭＡを使用するので、１つのシンボル区間（ｓｙｍｂｏｌ  ｐｅｒｉｏｄ）を表現するためのものであって、多重接続方式によって他の名称として呼ばれることができる。例えば、アップリンク多重接続方式にＳＣ−ＦＤＭＡが使われる場合、ＳＣ−ＦＤＭＡシンボルということができる。資源ブロック（ＲＢ：Ｒｅｓｏｕｒｃｅ  Ｂｌｏｃｋ）は資源割当単位であって、１つのスロットで複数の連続する副搬送波を含む。上記無線フレームの構造は一例に過ぎないものである。したがって、無線フレームに含まれるサブフレームの個数やサブフレームに含まれるスロットの個数、またはスロットに含まれるＯＦＤＭシンボルの個数は多様に変更できる。
【００２８】
３ＧＰＰ  ＬＴＥは、ノーマル（ｎｏｒｍａｌ）サイクリックプレフィックス（ＣＰ：Ｃｙｃｌｉｃ  Ｐｒｅｆｉｘ）で１つのスロットは７個のＯＦＤＭシンボルを含み、拡張（ｅｘｔｅｎｄｅｄ）ＣＰで１つのスロットは６個のＯＦＤＭシンボルを含むことと定義している。
【００２９】
無線通信システムは、ＦＤＤ（Ｆｒｅｑｕｅｎｃｙ  Ｄｉｖｉｓｉｏｎ  Ｄｕｐｌｅｘ）方式とＴＤＤ  （Ｔｉｍｅ  Ｄｉｖｉｓｉｏｎ  Ｄｕｐｌｅｘ）方式とに大別できる。ＦＤＤ方式によれば、アップリンク  転送とダウンリンク転送とが互いに異なる周波数帯域を占めながらなされる。ＴＤＤ方式によれば、アップリンク転送とダウンリンク転送とが同一な周波数帯域を占めながら互いに異なる時間になされる。ＴＤＤ方式のチャンネル応答は実質的に相互的（ｒｅｃｉｐｒｏｃａｌ）である。これは、与えられた周波数領域でダウンリンクチャンネル応答とアップリンクチャンネル応答とがほとんど同一であるということである。したがって、ＴＤＤに基盤した無線通信システムにおいて、ダウンリンクチャンネル応答はアップリンクチャンネル応答から得られる長所がある。ＴＤＤ方式は、全体周波数帯域をアップリンク転送とダウンリンク転送とが時分割されるので、基地局によるダウンリンク転送と端末によるアップリンク転送とが同時に遂行されることはできない。アップリンク転送とダウンリンク転送とがサブフレーム単位で区分されるＴＤＤシステムにおいて、アップリンク転送とダウンリンク転送とは互いに異なるサブフレームで遂行される。  ＴＤＤ方式では１つのフレーム内にアップリンクサブフレーム及びダウンリンクサブフレームが共存し、その設定がＵＬ−ＤＬ設定（ｕｐｌｉｎｋ−ｄｏｗｎｌｉｎｋ  ｃｏｎｆｉｇｕｒａｔｉｏｎ）により決定される。ＵＬ−ＤＬ設定は３ＧＰＰ  ＴＳ３６．２１１  Ｖ１０．０．０のテーブル４．２．２を参照することができる。
【００３０】
図２は、１つのダウンリンクスロットに対する資源グリッド（ｒｅｓｏｕｒｃｅ  ｇｒｉｄ）の一例を示す。
【００３１】
ダウンリンクスロットは、時間領域で複数のＯＦＤＭシンボルを含み、周波数領域でＮＲＢ個の資源ブロックを含む。ダウンリンクスロットに含まれる資源ブロックの数ＮＲＢはセルで設定されるダウンリンク転送帯域幅（ｂａｎｄｗｉｄｔｈ：ＮＤＬ）に従属する。例えば、ＬＴＥシステムでＮＲＢは６から１１０のうち、いずれか１つでありうる。１つの資源ブロックは、周波数領域で複数の副搬送波を含む。アップリンクスロットの構造も上記ダウンリンクスロットの構造と同一でありうる。
【００３２】
資源グリッド上の各要素（ｅｌｅｍｅｎｔ）を資源要素（ｒｅｓｏｕｒｃｅ  ｅｌｅｍｅｎｔ）という。資源グリッド上の資源要素はスロット内のインデックス対（ｐａｉｒ）（ｋ、ｌ）により識別できる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００３３】
ここで、１つの資源ブロックは時間領域で７ＯＦＤＭシンボル、周波数領域で１２副搬送波から構成される７×１２資源要素を含むことを例示的に記述するが、資源ブロック内のＯＦＤＭシンボルの数と副搬送波の数はこれに制限されるものではない。ＯＦＤＭシンボルの数と副搬送波の数はＣＰの長さ、周波数間隔（ｆｒｅｑｕｅｎｃｙ  ｓｐａｃｉｎｇ）などによって多様に変更できる。例えば、ノーマルＣＰ（ｎｏｒｍａｌ  ｃｙｃｌｉｃ  ｐｒｅｆｉｘ）の場合、ＯＦＤＭシンボルの数は７であり、拡張ＣＰ（ｅｘｔｅｎｄｅｄ  ｃｙｃｌｉｃ  ｐｒｅｆｉｘ）の場合、ＯＦＤＭシンボルの数は６である。１つのＯＦＤＭシンボルで副搬送波の数は１２８、２５６、５１２、１０２４、１５３６、及び２０４８のうち、１つを選定して使用することができる。
【００３４】
図３は、ダウンリンクサブフレームの構造を示す。
【００３５】
ダウンリンクサブフレームは、時間領域で２つのスロットを含み、各スロットはノーマルＣＰで７個のＯＦＤＭシンボルを含む。サブフレーム内の最初のスロットの先の最大３ＯＦＤＭシンボル（１．４Ｍｈｚ帯域幅に対しては最大４ＯＦＤＭシンボル）が制御チャンネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域となる。
【００３６】
ＰＤＣＣＨは、ＤＬ−ＳＣＨ（Ｄｏｗｎｌｉｎｋ−Ｓｈａｒｅｄ  Ｃｈａｎｎｅｌ）の資源割当及び転送フォーマット、ＵＬ−ＳＣＨ（Ｕｐｌｉｎｋ  Ｓｈａｒｅｄ  Ｃｈａｎｎｅｌ）の資源割当情報、ＰＣＨ上のページング情報、ＤＬ−ＳＣＨ上のシステム情報、ＰＤＳＣＨ上に転送されるランダムアクセス応答のような上位階層制御メッセージの資源割当、任意のＵＥグループ内の個別ＵＥに対する転送パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で転送されることができ、端末は複数のＰＤＣＣＨをモニターリングすることができる。ＰＤＣＣＨは、１つまたは幾つかの連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）の上に転送される。ＣＣＥは、無線チャンネルの状態に従う符号化率をＰＤＣＣＨに提供するために使われる論理的割当単位である。ＣＣＥは、複数の資源要素グループ（ｒｅｓｏｕｒｃｅ  ｅｌｅｍｅｎｔ  ｇｒｏｕｐ）に対応する。ＣＣＥの数とＣＣＥにより提供される符号化率の関連関係によって、ＰＤＣＣＨのフォーマット及び可能なＰＤＣＣＨのビット数が決定される。
【００３７】
基地局は端末に送ろうとするダウンリンク制御情報（ｄｏｗｎｌｉｎｋ  ｃｏｎｔｒｏｌ  ｉｎｆｏｒｍａｔｉｏｎ：ＤＣＩ）によってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨであれば、端末の固有識別子、例えばＣ−ＲＮＴＩ（Ｃｅｌｌ−ＲＮＴＩ）がＣＲＣにマスキングできる。または、ページングメッセージのためのＰＤＣＣＨであれば、ページング指示識別子、例えばＰ−ＲＮＴＩ（Ｐａｇｉｎｇ−ＲＮＴＩ）がＣＲＣにマスキングできる。システム情報（ＳＩＢ：Ｓｙｓｔｅｍ  Ｉｎｆｏｒｍａｔｉｏｎ  Ｂｌｏｃｋ）のためのＰＤＣＣＨであれば、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングできる。端末のランダムアクセスプリアンブルの転送に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングできる。
【００３８】
図４は、アップリンクサブフレームの構造を示す。
【００３９】
アップリンクサブフレームは、周波数領域で制御領域とデータ領域とに分けられる。上記制御領域は、アップリンク制御情報が転送されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。上記データ領域は、データが転送されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００４０】
上位階層で指示される場合、端末はＰＵＳＣＨとＰＵＣＣＨとの同時転送をサポートすることができる。
【００４１】
１つの端末に対するＰＵＣＣＨは、サブフレームで資源ブロック対（ＲＢ  ｐａｉｒ）に割り当てられる。資源ブロック対に属する資源ブロックは第１スロットと第２スロットの各々で互いに異なる副搬送波を占める。ＰＵＣＣＨに割り当てられる資源ブロック対に属する資源ブロックが占める周波数はスロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間に従って互いに異なる副搬送波を通じて転送することによって、周波数ダイバーシティ利得を得ることができる。
【００４２】
ＰＵＳＣＨは、転送チャンネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨの上に転送されるアップリンクデータはＴＴＩの間転送されるＵＬ−ＳＣＨのためのデータブロックである転送ブロック（ｔｒａｎｓｐｏｒｔ  ｂｌｏｃｋ）でありうる。上記転送ブロックは、ユーザ情報でありうる。または、アップリンクデータは多重化した（ｍｕｌｔｉｐｌｅｘｅｄ）データでありうる。多重化したデータは、ＵＬ−ＳＣＨのための転送ブロックとアップリンク制御情報（ｕｐｌｉｎｋ  ｃｏｎｔｒｏｌ  ｉｎｆｏｒｍａｔｉｏｎ：ＵＣＩ）とが多重化したものでありうる。例えば、データに多重化するアップリンク制御情報にはＣＱＩ（ｃｈａｎｎｅｌ  ｑｕａｌｉｔｙ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＨＡＲＱ−ＡＣＫ／ＮＡＣＫ（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ／ｎｏｎ−ａｃｋｎｏｗｌｅｄｇｅｍｅｎｔ、ＨＡＲＱ−ＡＣＫと表示するか、または単純にＡ／Ｎと表示することができる）、ＲＩ（Ｒａｎｋ  Ｉｎｄｉｃａｔｏｒ）などがありうる。または、アップリンクデータはアップリンク制御情報のみで構成されることもできる。
【００４３】
一方、無線通信システムは搬送波集成（ｃａｒｒｉｅｒ  ａｇｇｒｅｇａｔｉｏｎ：ＣＡ）をサポートすることができる。ここで、搬送波集成とは、小さい帯域幅を有する複数の搬送波を集めて広帯域を構成することを意味する。搬送波集成システムは、無線通信システムが広帯域をサポートしようとする時、目標とする広帯域より小さい帯域幅を有する１つ以上の搬送波を集めて広帯域を構成するシステムを意味する。
【００４４】
図５は、単一搬送波システムと搬送波集成システムとの比較例である。
【００４５】
図５を参照すると、単一搬送波システムではアップリンクとダウンリンクに１つの搬送波のみを端末にサポートする。搬送波の帯域幅は多様でありうるが、端末に割り当てられる搬送波は１つである。一方、搬送波集成システムでは端末に複数の要素搬送波（ｃｏｍｐｏｎｅｎｔ  ｃａｒｒｉｅｒ：ＣＣ）が割当てできる。例えば、端末に６０ＭＨｚの帯域幅を割り当てるために３個の２０ＭＨｚの要素搬送波が割当てできる。要素搬送波にはダウンリンク要素搬送波（ｄｏｗｎｌｉｎｋ  ＣＣ：ＤＬ  ＣＣ）及びアップリンク要素搬送波（ｕｐｌｉｎｋ  ＣＣ：ＵＬ  ＣＣ）がある。
【００４６】
搬送波集成システムは、各搬送波が連続した連続（ｃｏｎｔｉｇｕｏｕｓ）搬送波集成システムと各搬送波が互いに離れている不連続（ｎｏｎ−ｃｏｎｔｉｇｕｏｕｓ）搬送波集成システムとに区分できる。以下、単純に搬送波集成システムという時、これは要素搬送波が連続の場合と不連続の場合とを全て含むことと理解されるべきである。
【００４７】
１つ以上の要素搬送波を集める時、対象となる要素搬送波は既存システムとの下位互換性（ｂａｃｋｗａｒｄ  ｃｏｍｐａｔｉｂｉｌｉｔｙ）のために既存システムで使用する帯域幅をそのまま使用することができる。例えば、３ＧＰＰ  ＬＴＥシステムでは１．４ＭＨｚ、３ＭＨｚ、５ＭＨｚ、１０ＭＨｚ、１５ＭＨｚ、及び２０ＭＨｚの帯域幅をサポートし、３ＧＰＰ  ＬＴＥ−Ａシステムでは上記３ＧＰＰ  ＬＴＥシステムの帯域幅のみを用いて２０ＭＨｚ以上の広帯域を構成することができる。または、既存システムの帯域幅をそのまま使用せず、新たな帯域幅を定義して広帯域を構成することもできる。
【００４８】
無線通信システムのシステム周波数帯域は、複数の搬送波周波数（Ｃａｒｒｉｅｒ−ｆｒｅｑｕｅｎｃｙ）に区分される。ここで、搬送波周波数はセルの中心周波数（Ｃｅｎｔｅｒ  ｆｒｅｑｕｅｎｃｙ  ｏｆ  ａ  ｃｅｌｌ）を意味する。以下、セル（ｃｅｌｌ）はダウンリンク周波数資源及びアップリンク周波数資源を意味することができる。または、セルはダウンリンク周波数資源と選択的な（ｏｐｔｉｏｎａｌ）アップリンク周波数資源との組合（ｃｏｍｂｉｎａｔｉｏｎ）を意味することができる。また、一般的に搬送波集成（ＣＡ）を考慮しない場合、１つのセル（ｃｅｌｌ）はアップリンク及びダウンリンク周波数資源が常に対に存在することができる。
【００４９】
特定セルを通じてパケットデータの送受信がなされるためには、端末は先に特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要とするシステム情報受信を完了した状態を意味する。例えば、設定（ｃｏｎｆｉｇｕｒａｔｉｏｎ）はデータ送受信に必要とする共通物理階層パラメータ、またはＭＡＣ階層パラメータ、またはＲＲＣ階層で特定動作に必要とするパラメータを受信する全般の過程を含むことができる。設定完了したセルは、パケットデータが転送できるという情報を受信しさえすれば、直ちにパケットの送受信が可能になる状態である。
【００５０】
設定完了状態のセルは、活性化（Ａｃｔｉｖａｔｉｏｎ）または不活性化（Ｄｅａｃｔｉｖａｔｉｏｎ）状態で存在することができる。ここで、活性化はデータの送信または受信が行なわれるか、または準備状態（ｒｅａｄｙ  ｓｔａｔｅ）にあることをいう。端末は自身に割り当てられた資源（周波数、時間など）を確認するために、活性化したセルの制御チャンネル（ＰＤＣＣＨ）及びデータチャンネル（ＰＤＳＣＨ）をモニターリングまたは受信することができる。
【００５１】
不活性化は、トラフィックデータの送信または受信が不可能であり、測定や最小情報の送信／受信が可能であることをいう。端末は、不活性化セルからパケット受信のために必要なシステム情報（ＳＩ）を受信することができる。一方、端末は自身に割り当てられた資源（周波数、時間などのこともある）を確認するために不活性化したセルの制御チャンネル（ＰＤＣＣＨ）及びデータチャンネル（ＰＤＳＣＨ）をモニターリングまたは受信しない。
【００５２】
セルは、プライマリセル（ｐｒｉｍａｒｙ  ｃｅｌｌ：ＰＣｅｌｌ）とセカンダリセル（ｓｅｃｏｎｄａｒｙ  ｃｅｌｌ：ＳＣｅｌｌ）、及びサービングセル（ｓｅｒｖｉｎｇ  ｃｅｌｌ）に区分できる。
【００５３】
プライマリセルは、プライマリ周波数で動作するセルを意味し、端末が基地局との最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または連結再確立過程を遂行するセル、またはハンドオーバー過程でプライマリセルとして指示されたセルを意味する。
【００５４】
セカンダリセルは、セカンダリ周波数で動作するセルを意味し、一旦ＲＲＣ連結が確立されれば設定され、追加的な無線資源を提供することに使われる。
【００５５】
サービングセルは、ＣＡが設定されなかったり、ＣＡを提供できなかったりする端末の場合にはプライマリセルで構成される。ＣＡが設定された場合、サービングセルという用語はプライマリセル及び全てのセカンダリセルのうちの１つまたは複数のセルで構成された集合を示すことに使われる。
【００５６】
即ち、プライマリセルはＲＲＣ連結（ｅｓｔａｂｌｉｓｈｍｅｎｔ）または再連結（ｒｅ−ｅｓｔａｂｌｉｓｈｍｅｎｔ）状態で、保安入力（ｓｅｃｕｒｉｔｙ  ｉｎｐｕｔ）とＮＡＳ移動情報（ｍｏｂｉｌｉｔｙ  ｉｎｆｏｒｍａｔｉｏｎ）を提供する１つのサービングセルを意味する。端末の性能（ｃａｐａｂｉｌｉｔｉｅｓ）によって、少なくとも１つのセルがプライマリセルと共にサービングセル集合を形成するように構成できるが、上記少なくとも１つのセルをセカンダリセルという。
【００５７】
したがって、１つの端末に対して設定されたサービングセルとは、１つのプライマリセルのみで構成されるか、または１つのプライマリセルと少なくとも１つのセカンダリセルで構成されることができ、複数のサービングセルが端末に設定できる。
【００５８】
ＰＣＣ（ｐｒｉｍａｒｙ  ｃｏｍｐｏｎｅｎｔ  ｃａｒｒｉｅｒ）は、プライマリセルに対応するＣＣを意味する。ＰＣＣは、端末が多数のＣＣのうち、初期に基地局と接続（ＣｏｎｎｅｃｔｉｏｎまたはＲＲＣ  Ｃｏｎｎｅｃｔｉｏｎ）をなすようになるＣＣである。ＰＣＣは、多数のＣＣに関するシグナリングのための連結（ＣｏｎｎｅｃｔｉｏｎまたはＲＲＣ  Ｃｏｎｎｅｃｔｉｏｎ）を担い、端末と関連した連結情報である端末文脈情報（ＵＥ  Ｃｏｎｔｅｘｔ）を管理する特別なＣＣである。また、ＰＣＣは端末と接続をなすようになってＲＲＣ連結状態（ＲＲＣ  Ｃｏｎｎｅｃｔｅｄ  Ｍｏｄｅ）の場合には常に活性化状態に存在する。
【００５９】
ＳＣＣ（ｓｅｃｏｎｄａｒｙ  ｃｏｍｐｏｎｅｎｔ  ｃａｒｒｉｅｒ）は、セカンダリセルに対応するＣＣを意味する。即ち、ＳＣＣはＰＣＣの以外に端末に割り当てられたＣＣであって、ＳＣＣは端末がＰＣＣの以外に追加的な資源割当などのために拡張された搬送波（Ｅｘｔｅｎｄｅｄ  Ｃａｒｒｉｅｒ）であり、活性化（ａｃｔｉｖａｔｅｄ）または不活性化（ｄｅａｃｔｉｖａｔｅｄ）状態に分けられる。
【００６０】
プライマリセルに対応するダウンリンク要素搬送波をダウンリンク主要素搬送波（ＤｏｗｎＬｉｎｋ  Ｐｒｉｍａｒｙ  Ｃｏｍｐｏｎｅｎｔ  Ｃａｒｒｉｅｒ：ＤＬ  ＰＣＣ）といい、プライマリセルに対応するアップリンク要素搬送波をアップリンク主要素搬送波（ＵＬ  ＰＣＣ）という。また、ダウンリンクにおいて、セカンダリセルに対応する要素搬送波をダウンリンク副要素搬送波（ＤＬ  Ｓｅｃｏｎｄａｒｙ  ＣＣ：ＤＬ  ＳＣＣ）といい、アップリンクにおいて、セカンダリセルに対応する要素搬送波をアップリンク副要素搬送波（ＵＬ  ＳＣＣ）という。
【００６１】
プライマリセル及びセカンダリセルは、次のような特徴を有する。
【００６２】
第１に、プライマリセルはＰＵＣＣＨの転送のために使われる。
【００６３】
第２に、プライマリセルは常に活性化している一方、セカンダリセルは特定条件によって活性化／不活性化する搬送波である。
【００６４】
第３に、プライマリセルが無線リンク失敗（Ｒａｄｉｏ  Ｌｉｎｋ  Ｆａｉｌｕｒｅ：以下、ＲＬＦ）を経験する時、ＲＲＣ再連結がトリガーリング（ｔｒｉｇｇｅｒｉｎｇ）されるが、セカンダリセルがＲＬＦを経験する時は、ＲＲＣ再連結がトリガーリングされない。
【００６５】
第４に、プライマリセルは保安キー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手続に伴うハンドオーバー手続によって変更できる。
【００６６】
第５に、ＮＡＳ（ｎｏｎ−ａｃｃｅｓｓ  ｓｔｒａｔｕｍ）情報はプライマリセルを通じて受信する。
【００６７】
第６に、いつもプライマリセルはＤＬ  ＰＣＣとＵＬ  ＰＣＣとが対（ｐａｉｒ）で構成される。
【００６８】
第７に、各端末毎に異なる要素搬送波（ＣＣ）がプライマリセルに設定できる。
【００６９】
第８に、プライマリセルの再設定（ｒｅｃｏｎｆｉｇｕｒａｔｉｏｎ）、追加（ａｄｄｉｎｇ）、及び除去（ｒｅｍｏｖａｌ）のような手続は、ＲＲＣ階層により遂行できる。新規セカンダリセルの追加において、専用（ｄｅｄｉｃａｔｅｄ）セカンダリセルのシステム情報を転送することにＲＲＣシグナリングが使用できる。
【００７０】
ダウンリンク要素搬送波が１つのサービングセルを構成することもでき、ダウンリンク要素搬送波とアップリンク要素搬送波とが連結設定されて１つのサービングセルを構成することができる。しかしながら、１つのアップリンク要素搬送波のみではサービングセルが構成されない。
【００７１】
要素搬送波の活性化／不活性化は、サービングセルの活性化／不活性化の概念と同等である。例えば、サービングセル１がＤＬ  ＣＣ１で構成されていると仮定する時、サービングセル１の活性化はＤＬ  ＣＣ１の活性化を意味する。仮に、サービングセル２がＤＬ  ＣＣ２とＵＬ  ＣＣ２とが連結設定されて構成されていると仮定する時、サービングセル２の活性化はＤＬ  ＣＣ２とＵＬ  ＣＣ２の活性化を意味する。このような意味で、各要素搬送波はセル（ｃｅｌｌ）に対応できる。
【００７２】
ダウンリンクとアップリンクとの間に集成される要素搬送波の数は異なるように設定できる。ダウンリンクＣＣ数とアップリンクＣＣ数が同一な場合を対称的（ｓｙｍｍｅｔｒｉｃ）集成といい、その数が異なる場合を非対称的（ａｓｙｍｍｅｔｒｉｃ）集成という。また、ＣＣのサイズ（即ち、帯域幅）は互いに異なることがある。例えば、７０ＭＨｚ帯域の構成のために５個のＣＣが使われるとする時、５ＭＨｚ  ＣＣ（ｃａｒｒｉｅｒ  ＃０）＋２０ＭＨｚ  ＣＣ（ｃａｒｒｉｅｒ  ＃１）＋２０ＭＨｚ  ＣＣ（ｃａｒｒｉｅｒ  ＃２）＋２０ＭＨｚ  ＣＣ（ｃａｒｒｉｅｒ  ＃３）＋５ＭＨｚ  ＣＣ（ｃａｒｒｉｅｒ  ＃４）のように構成されることもできる。
【００７３】
前述したように、搬送波集成システムでは単一搬送波システムとは異なり、複数の要素搬送波（ｃｏｍｐｏｎｅｎｔ  ｃａｒｒｉｅｒ：ＣＣ）をサポートすることができる。即ち、１つの端末が複数のＤＬ  ＣＣを通じて複数のＰＤＳＣＨを受信することができる。また、端末は１つのＵＬ  ＣＣ、例えばＵＬ  ＰＣＣを通じて上記複数のＰＤＳＣＨに対するＡＣＫ／ＮＡＣＫを転送することができる。即ち、従来の単一搬送波システムでは１つのサブフレームで１つのＰＤＳＣＨのみを受信するので、最大２つのＨＡＲＱ  ＡＣＫ／ＮＡＣＫ（以下、便宜上、ＡＣＫ／ＮＡＣＫと略称）情報を転送すればよかった。しかしながら、搬送波集成システムでは複数のＰＤＳＣＨに対するＡＣＫ／ＮＡＣＫを１つのＵＬ  ＣＣを通じて転送できるため、これに対するＡＣＫ／ＮＡＣＫ転送方法が要求される。
【００７４】
端末は、複数のＤＬ  ＣＣでＰＤＣＣＨをモニターリングし、複数のＤＬ  ＣＣを通じて同時にダウンリンク転送ブロックを受信することができる。端末は、複数のＵＬ  ＣＣを通じて同時に複数のアップリンク転送ブロックを転送することができる。
【００７５】
多重搬送波システムにおいて、ＣＣスケジューリングは２つの方法が可能である。
【００７６】
第１は、１つのＣＣでＰＤＣＣＨ−ＰＤＳＣＨ対が転送されるものである。このＣＣを自己−スケジューリング（ｓｅｌｆ−ｓｃｈｅｄｕｌｉｎｇ）という。また、これはＰＵＳＣＨが転送されるＵＬ  ＣＣは該当するＰＤＣＣＨが転送されるＤＬ  ＣＣにリンクされたＣＣになることを意味する。即ち、ＰＤＣＣＨは同一なＣＣ上でＰＤＳＣＨ資源を割り当てるか、またはリンクされたＵＬ  ＣＣ上でＰＵＳＣＨ資源を割り当てるものである。
【００７７】
第２は、ＰＤＣＣＨが転送されるＤＬ  ＣＣに関わらず、ＰＤＳＣＨが転送されるＤＬ  ＣＣまたはＰＵＳＣＨが転送されるＵＬ  ＣＣが定まるものである。即ち、ＰＤＣＣＨとＰＤＳＣＨとが互いに異なるＤＬ  ＣＣで転送されるか、またはＰＤＣＣＨが転送されたＤＬ  ＣＣとリンケージされていないＵＬ  ＣＣを通じてＰＵＳＣＨが転送されるものである。これを交差−搬送波（ｃｒｏｓｓ−ｃａｒｒｉｅｒ）スケジューリングという。ＰＤＣＣＨが転送されるＣＣをＰＤＣＣＨ搬送波、モニターリング搬送波、またはスケジューリング（ｓｃｈｅｄｕｌｉｎｇ）搬送波といい、ＰＤＳＣＨ／ＰＵＳＣＨが転送されるＣＣをＰＤＳＣＨ／ＰＵＳＣＨ搬送波またはスケジューリングされた（ｓｃｈｅｄｕｌｅｄ）搬送波という。
【００７８】
ここに、既存のＰＵＣＣＨフォーマット（ＰＵＣＣＨ  ｆｏｒｍａｔ）について説明する。
【００７９】
ＰＵＣＣＨは、フォーマット（ｆｏｒｍａｔ）によって多様な種類の制御情報を運ぶ。ＰＵＣＣＨフォーマット１は、スケジューリング要請（ＳＲ：Ｓｃｈｅｄｕｌｉｎｇ  Ｒｅｑｕｅｓｔ）を運ぶ。この際、ＯＯＫ（Ｏｎ−Ｏｆｆ  Ｋｅｙｉｎｇ）方式が適用できる。ＰＵＣＣＨフォーマット１ａは、１つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式により変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を運ぶ。ＰＵＣＣＨフォーマット１ｂは、２つのコードワードに対してＱＰＳＫ（Ｑｕａｄｒａｔｕｒｅ  Ｐｈａｓｅ  Ｓｈｉｆｔ  Ｋｅｙｉｎｇ）方式により変調されたＡＣＫ／ＮＡＣＫを運ぶ。ＰＵＣＣＨフォーマット２は、ＱＰＳＫ方式により変調されたＣＱＩ（Ｃｈａｎｎｅｌ  Ｑｕａｌｉｔｙ  Ｉｎｄｉｃａｔｏｒ）を運ぶ。ＰＵＣＣＨフォーマット２ａ及び２ｂは、ＣＱＩ及びＡＣＫ／ＮＡＣＫを運ぶ。
【００８０】
ＰＵＣＣＨフォーマットは、変調方式とサブフレーム内のビットの個数によって区分できる。＜表１＞は、ＰＵＣＣＨフォーマットに従う変調方式とサブフレーム内のビットの個数を示す。
【００８１】
【表１】
0005859683.tif 000002
【００８２】
図６はノーマルＣＰで１つのスロットに対するＰＵＣＣＨフォーマット２／２ａ／２ｂのチャンネル構造を示す。上述したように、ＰＵＣＣＨフォーマット２／２ａ／２ｂはＣＱＩの転送に使われる。
【００８３】
図６を参照すると、ノーマルＣＰでＳＣ−ＦＤＭＡシンボル１、５はアップリンク参照信号であるＤＭ  ＲＳ（ｄｅｍｏｄｕｌａｔｉｏｎ  ｒｅｆｅｒｅｎｃｅ  ｓｙｍｂｏｌ）のために使われる。拡張ＣＰの場合には、ＳＣ−ＦＤＭＡシンボル３がＤＭ  ＲＳのために使われる。
【００８４】
１０個のＣＱＩ情報ビットが、例えば１／２割合でチャンネルコーディング（ｃｈａｎｎｅｌ  ｃｏｄｉｎｇ）されて２０個のコーディングされたビットとなる。チャンネルコーディングにはリードミュラー（Ｒｅｅｄ−Ｍｕｌｌｅｒ：ＲＭ）コードが使用できる。そして、スクランブリング（ＰＵＳＣＨデータが長さ３１のゴールドシーケンスにスクランブリングされることと類似するように）された後、ＱＰＳＫ星状マッピング（ｃｏｎｓｔｅｌｌａｔｉｏｎ  ｍａｐｐｉｎｇ）されてＱＰＳＫ変調シンボルが生成される（スロット０でｄ０からｄ４）。各ＱＰＳＫ変調シンボルは長さ１２の基本ＲＳシーケンスの循環シフトに変調され、ＯＦＤＭ変調された後、サブフレーム内の１０個のＳＣ−ＦＤＭＡシンボルの各々で転送される。均一に離隔した１２個の循環シフトは１２個の互いに異なる端末が同一なＰＵＣＣＨ資源ブロックで直交するように多重化できるようにする。ＳＣ−ＦＤＭＡシンボル１、５に適用されるＤＭ  ＲＳシーケンスは長さ１２の基本ＲＳシーケンスが使用できる。
【００８５】
図７は、ノーマルＣＰでの１つのスロットに対するＰＵＣＣＨフォーマット１ａ／１ｂを示す。３番目から５番目のＳＣ−ＦＤＭＡシンボルでアップリンク参照信号が転送される。図７で、ｗ０、ｗ１、ｗ２、及びｗ３は、ＩＦＦＴ（Ｉｎｖｅｒｓｅ  Ｆａｓｔ  Ｆｏｕｒｉｅｒ  Ｔｒａｎｓｆｏｒｍ）変調の以後に時間領域で変調されるか、またはＩＦＦＴ変調の以前に周波数領域で変調できる。
【００８６】
ＬＴＥにおいて、ＡＣＫ／ＮＡＣＫとＣＱＩとは同一サブフレームで同時に転送されることもでき、同時転送が許容されないこともある。その時のＡＣＫ／ＮＡＣＫは単一セルに対するＡＣＫ／ＮＡＣＫである。ＡＣＫ／ＮＡＣＫとＣＱＩとの同時転送が許容されない場合において、端末がＣＱＩフィードバックが設定されたサブフレームのＰＵＣＣＨでＡＣＫ／ＮＡＣＫを転送することが必要でありうる。このような場合、ＣＱＩはドロップ（ｄｒｏｐ）され、ＡＣＫ／ＮＡＣＫのみＰＵＣＣＨフォーマット１ａ／１ｂを通じて転送される。
【００８７】
ＡＣＫ／ＮＡＣＫとＣＱＩとの同一サブフレームでの同時転送は、端末の特定的な上位階層（ＲＲＣ）シグナリングを通じて設定できる。例えば、ＡＣＫ／ＮＡＣＫとＣＱＩとが同一サブフレームで同時に転送できるか否かはＲＲＣ（ｒａｄｉｏ  ｒｅｓｏｕｒｃｅ  ｃｏｎｔｒｏｌ）メッセージに含まれた‘ｓｉｍｕｌｔａｎｅｏｕｓＡｃｋＮａｃｋＡｎｄＣＱＩ’というパラメータにより設定できる。即ち、‘ｓｉｍｕｌｔａｎｅｏｕｓＡｃｋＮａｃｋＡｎｄＣＱＩ’がＴＲＵＥに設定されれば同時転送が許容され、ＦＡＬＳＥに設定されれば同時転送が許容されないことがある。同時転送が可能な場合、基地局スケジューラがＣＱＩとＡＣＫ／ＮＡＣＫとの同時転送を許容したサブフレームでＣＱＩと１ビットまたは２ビットのＡＣＫ／ＮＡＣＫ情報が同一なＰＵＣＣＨ資源ブロックに多重化できる。この際、低いＣＭ（ｃｕｂｉｃ  ｍｅｔｒｉｃ）を有する単一搬送波特性を維持することが必要である。単一搬送波特性を維持しながらＣＱＩとＡＣＫ／ＮＡＣＫとを多重化する方法はノーマルＣＰと拡張ＣＰで互いに異なる。
【００８８】
まず、ノーマルＣＰでＰＵＣＣＨフォーマット２ａ／２ｂを通じて１ビットまたは２ビットのＡＣＫ／ＮＡＣＫとＣＱＩとを共に転送する場合、ＡＣＫ／ＮＡＣＫビットはスクランブルされず、ＢＰＳＫ（１ビットの場合）／ＱＰＳＫ（２ビットの場合）変調されて１つのＡＣＫ／ＮＡＣＫ変調シンボル（ｄＨＡＲＱ）となる。ＡＣＫは２進数‘１’にエンコーディングされ、ＮＡＣＫは２進数‘０’にエンコーディングされる。１つのＡＣＫ／ＮＡＣＫ変調シンボル（ｄＨＡＲＱ）は各スロットで２番目のＲＳシンボルを変調することに使われる。即ち、ＡＣＫ／ＮＡＣＫはＲＳを用いてシグナリングされる。
【００８９】
図８は、ノーマルＣＰ、ＰＵＣＣＨフォーマット２ａ／２ｂでＡＣＫ／ＮＡＣＫの星状マッピングの例を示す。
【００９０】
図８を参照すると、ＮＡＣＫ（２つのダウンリンクコードワード転送の場合にはＮＡＣＫ、ＮＡＣＫ）は＋１にマッピングされる。端末がＰＤＣＣＨでダウンリンクグラントの検出に失敗した場合を意味するＤＴＸ（ｄｉｓｃｏｎｔｉｎｕｏｕｓ  ｔｒａｎｓｍｉｓｓｉｏｎ）はＡＣＫまたはＮＡＣＫを全て転送せず、このような場合、デフォルトＮＡＣＫとなる。ＤＴＸは基地局によりＮＡＣＫと解釈され、ダウンリンク再転送を引き起こす。
【００９１】
次に、スロット当たり１つのＲＳシンボルが使われる拡張ＣＰでは１または２ビットのＡＣＫ／ＮＡＣＫがＣＱＩとジョイントコーディング（ｊｏｉｎｔ  ｃｏｄｉｎｇ）される。
【００９２】
図９は、拡張ＣＰでＡＣＫ／ＮＡＣＫとＣＱＩとのジョイントコーディングの例を示す。
【００９３】
図９を参照すると、ＲＭコードによりサポートされる情報ビットの最大ビット数は１３でありうる。この場合、ＣＱＩ情報ビット（Ｋｃｑｉ）は１１ビットであり、ＡＣＫ／ＮＡＣＫ情報ビット（ＫＡＣＫ／ＮＡＣＫ）は２ビットでありうる。ＣＱＩ情報ビットとＡＣＫ／ＮＡＣＫ情報ビットとは連接してビット列を生成した後、ＲＭコードによりチャンネルコーディングできる。このような場合、ＣＱＩ情報ビットとＡＣＫ／ＮＡＣＫ情報ビットとはジョイントコーディングされると表現する。即ち、ＣＱＩ情報ビットとＡＣＫ／ＮＡＣＫ情報ビットとは、ＲＭコードによりジョイントコーディングされて２０ビットのコーディングされたビットとなる。このような過程を通じて生成された２０ビットのコードワードは、図６で説明したチャンネル構造（拡張ＣＰの場合、図６とは異なり、スロット当たり１つのＲＳシンボルが使われる差はある）を有するＰＵＣＣＨフォーマット２で転送される。
【００９４】
ＬＴＥでは、ＰＵＣＣＨフォーマット１ａ／１ｂを通じてＡＣＫ／ＮＡＣＫとＳＲとが多重化して同時転送できる。
【００９５】
図１０は、ＡＣＫ／ＮＡＣＫとＳＲとが多重化する方法を示す。
【００９６】
図１０を参照すると、ＡＣＫ／ＮＡＣＫとＳＲとが同一サブフレームで同時転送される場合、端末はＡＣＫ／ＮＡＣＫを割り当てられたＳＲ資源で転送するが、このような場合、正（ｐｏｓｉｔｉｖｅ）のＳＲを意味する。正のＳＲが受信されれば、基地局は端末がスケジューリングを要請することが分かる。また、端末はＡＣＫ／ＮＡＣＫを割り当てられたＡＣＫ／ＮＡＣＫ資源で転送できるが、このような場合、負（ｎｅｇａｔｉｖｅ）のＳＲを意味する。即ち、基地局はＡＣＫ／ＮＡＣＫとＳＲとが同時転送されるサブフレームではＡＣＫ／ＮＡＣＫがどの資源を通じて転送されるかを通じてＡＣＫ／ＮＡＣＫだけでなく、ＳＲが正のＳＲか、でなければ負のＳＲかを識別することができる。
【００９７】
図１１は、ＡＣＫ／ＮＡＣＫとＳＲとが同時転送される場合の星状マッピングを示す。
【００９８】
図１１を参照すると、ＤＴＸ／ＮＡＣＫと正のＳＲが星状マップ（ｃｏｎｓｔｅｌｌａｔｉｏｎ  ｍａｐ）の＋１にマッピングされ、ＡＣＫは−１にマッピングされる。星状マップは信号の位相を示すものでありうる。
【００９９】
一方、ＬＴＥ  ＴＤＤシステムにおいて、端末は複数のＰＤＳＣＨに対する複数のＡＣＫ／ＮＡＣＫを基地局にフィードバックすることができる。なぜならば、端末は複数のサブフレームで複数のＰＤＳＣＨを受信し、１つのサブフレームで上記複数のＰＤＳＣＨに対するＡＣＫ／ＮＡＣＫを転送できるためである。この際、２つのＡＣＫ／ＮＡＣＫ転送方法がある。
【０１００】
第１に、ＡＣＫ／ＮＡＣＫバンドリング（ｂｕｎｄｌｉｎｇ）である。ＡＣＫ／ＮＡＣＫバンドリングは、複数のデータユニットに対するＡＣＫ／ＮＡＣＫビットを論理的ＡＮＤ演算を通じて結合するものである。例えば、端末が複数のデータユニット全体を成功的にデコーディングした場合には１つのＡＣＫビットのみを転送する。一方、端末が複数のデータユニットのうちのいずれか１つでもデコーディングや検出に失敗する場合、端末はＮＡＣＫビットを転送するか、または何にも転送しない。
【０１０１】
バンドリングには、空間バンドリング（ｓｐａｔｉａｌ  ｂｕｎｄｌｉｎｇ）、時間領域でのバンドリング、周波数領域でのバンドリングなどがある。空間バンドリングは、１つのＰＤＳＣＨ内で複数のコードワードを受信した場合、各コードワードに対するＡ／Ｎを圧縮する技法である。時間領域でのバンドリングは互いに異なるサブフレームで受信したデータユニットに対するＡ／Ｎを圧縮する技法である。周波数領域でのバンドリングは互いに異なるセル（即ち、ＣＣ）から受信したデータユニットに対するＡ／Ｎを圧縮する技法である。
【０１０２】
第２に、ＡＣＫ／ＮＡＣＫの多重化（ｍｕｌｔｉｐｌｅｘｉｎｇ）である。ＡＣＫ／ＮＡＣＫ多重化方法において、複数のデータユニットに対するＡＣＫ／ＮＡＣＫの内容または意味は、実際ＡＣＫ／ＮＡＣＫ転送に使われるＰＵＣＣＨ資源とＱＰＳＫ変調シンボルの組合により識別できる。これは、チャンネル選択（ｃｈａｎｎｅｌ  ｓｅｌｅｃｔｉｏｎ）と称することもある。チャンネル選択は、使われるＰＵＣＣＨによってＰＵＣＣＨ１ａ／１ｂチャンネル選択と称することができる。
【０１０３】
例えば、最大２つのデータユニットが転送されることができ、１つのＰＵＣＣＨ資源が２ビットを運ぶことができると仮定する。この際、各データユニットに対するＨＡＲＱ動作は１つのＡＣＫ／ＮＡＣＫビットにより管理できると仮定する。このような場合、ＡＣＫ／ＮＡＣＫはデータユニットを転送した転送ノード（例えば、基地局）で次の表のように識別できる。
【０１０４】
【表２】
0005859683.tif 000003
【０１０５】
＜表２＞で、ＨＡＲＱ−ＡＣＫ（ｉ）はデータユニットｉに対するＡＣＫ／ＮＡＣＫ結果を指示する。上記の例では、データユニット０、データユニット１の２つのデータユニットがありうる。＜表２＞で、ＤＴＸは該当ＨＡＲＱ−ＡＣＫ（ｉ）に対するデータユニットの転送がなかったということを意味する。または、受信端（例えば、端末）でＨＡＲＱ−ＡＣＫ（ｉ）に対するデータユニットを検出できなかったということを意味する。ｎ（１）ＰＵＣＣＨ，Ｘは、ＡＣＫ／ＮＡＣＫの実際転送に使われるＰＵＣＣＨ資源を表すが、最大２つのＰＵＣＣＨ資源がある。即ち、ｎ（１）ＰＵＣＣＨ，０、ｎ（１）ＰＵＣＣＨ，１である。ｂ（０）、ｂ（１）は選択されたＰＵＣＣＨ資源により伝達される２ビットを示す。ＰＵＣＣＨ資源を通じて転送される変調シンボルはｂ（０）、ｂ（１）によって決定される。
【０１０６】
例えば、受信端が２つのデータユニットを成功的に受信し、デコーディングしたとすれば、受信端はＰＵＣＣＨ資源ｎ（１）ＰＵＣＣＨ，１を用いて２つのビット（ｂ（０）、ｂ（１））を（１，１）で転送しなければならない。他の例に、受信端が２つのデータユニットを受信して、１番目のデータユニットのデコーディングに失敗し、２番目のデータユニットのデコーディングは成功したと仮定する。このような場合、受信端は（０，０）をｎ（１）ＰＵＣＣＨ，１を用いて転送しなければならない。
【０１０７】
このようにＡＣＫ／ＮＡＣＫの内容（または、意味）を、ＰＵＣＣＨ資源と該当ＰＵＣＣＨ資源で転送される実際ビットの内容の組合とリンクする方法により単一ＰＵＣＣＨ資源を用いて複数のデータユニットに対するＡＣＫ／ＮＡＣＫ転送が可能である。
【０１０８】
ＡＣＫ／ＮＡＣＫ多重化方法では、仮に全てのデータユニットに対して少なくとも１つのＡＣＫが存在すれば、基本的にＮＡＣＫとＤＴＸはＮＡＣＫ／ＤＴＸのようにカップルで表示されている。これは、ＰＵＣＣＨ資源とＱＰＳＫシンボルの組合だけではＮＡＣＫとＤＴＸとを区別して全てのＡＣＫ／ＮＡＣＫ組合をカバーするには足りないためである。
【０１０９】
前述したＡＣＫ／ＮＡＣＫバンドリングやＡＣＫ／ＮＡＣＫ多重化方法では、端末が転送するＡＣＫ／ＮＡＣＫの対象となるＰＤＳＣＨの総個数が重要である。端末が複数のＰＤＳＣＨをスケジューリングする複数のＰＤＣＣＨのうちの一部ＰＤＣＣＨを受信できない場合、ＡＣＫ／ＮＡＣＫの対象となる総ＰＤＳＣＨの個数に対して誤りが発生するので、誤ったＡＣＫ／ＮＡＣＫを転送することがある。このような誤りを解決するために、ＴＤＤシステムではＤＡＩ（ｄｏｗｎｌｉｎｋ  ａｓｓｉｇｎｍｅｎｔ  ｉｎｄｅｘ）をＰＤＣＣＨに含んで転送する。ＤＡＩにはＰＤＳＣＨをスケジューリングするＰＤＣＣＨの数をカウンティングしてカウンティング値を知らせる。
【０１１０】
以下、ＰＵＣＣＨフォーマット２のためのアップリンクチャンネルコーディング方法について説明する。
【０１１１】
次の＜表３＞は、ＰＵＣＣＨフォーマット２のチャンネルコーディングに使われる（２０，Ａ）ＲＭコードの一例である。ここで、ＡはＣＱＩ情報ビットとＡＣＫ／ＮＡＣＫ情報ビットとが連接された（ｃｏｎｃａｔｅｎａｔｅｄ）ビット列のビット数（即ち、Ｋｃｑｉ＋ＫＡＣＫ／ＮＡＣＫ）でありうる。上記ビット列をａ０，ａ１，ａ２，．．．，ａＡ−１とすれば、上記ビット列（ｂｉｔ  ｓｔｒｅａｍ）が（２０，Ａ）のＲＭコードを用いたチャンネルコーディングブロックの入力に使用できる。
【０１１２】
【表３】
0005859683.tif 000004
【０１１３】
ＲＭコードによりチャンネルコーディングされたビット列ｂ０，ｂ１，ｂ２，．．．，ｂＢ−１は、次の＜数式１＞のように生成できる。
【０１１４】
【数１】
0005859683.tif 000005
【０１１５】
上記＜数式１＞で、ｉ＝０，１，２，．．．，Ｂ−１であり、Ｂ＝２０である。
【０１１６】
チャンネルコーディングされたビットはコード−時間−周波数資源にマッピングされる。
【０１１７】
図１２は、チャンネルコーディングされたビットがコード−時間−周波数資源にマッピングされる例を示す。
【０１１８】
図１２を参照すると、チャンネルコーディングされた２０ビットのうち、最初の１０ビットと最後の１０ビットは互いに異なるコード−時間−周波数資源にマッピングされるが、特に最初の１０ビットと最後の１０ビットは周波数ダイバーシティ（ｄｉｖｅｒｓｉｔｙ）のために周波数領域で大きく分離されて転送される。
【０１１９】
ここに、ＬＴＥ−Ａでのアップリンクチャンネルコーディング方法の一例を説明する。
【０１２０】
前述したように、ＬＴＥではＵＣＩがＰＵＣＣＨフォーマット２で転送される場合、最大１３ビットのＣＳＩを＜表３＞の（２０，Ａ）ＲＭコードを通じてＲＭコーディングする。一方、ＵＣＩがＰＵＳＣＨで転送される場合には最大１１ビットのＣＱＩを以下の＜表４＞の（３２，Ａ）ＲＭコードを通じてＲＭコーディングし、ＰＵＳＣＨで転送されるコード率を合せるために切断（ｔｒｕｎｃａｔｉｏｎ）または循環反復（ｃｉｒｃｕｌａｒ  ｒｅｐｅｔｉｔｉｏｎ）を遂行する。
【０１２１】
【表４】
0005859683.tif 000006
【０１２２】
一方、ＬＴＥ−Ａでは最大２１ビット（これは、情報ビットで、チャンネルコーディング前のビット数であり、ＳＲが含まれる場合、最大２２ビット）のＵＣＩ（ＡＣＫ／ＮＡＣＫとＳＲ）を転送するためにＰＵＣＣＨフォーマット３が導入された。ＰＵＣＣＨフォーマット３は、変調方式にＱＰＳＫを使用し、サブフレームで転送可能なビット数は４８ビット（これは、情報ビットをチャンネルコーディングした後、転送されるビット数）である。
【０１２３】
ＰＵＣＣＨフォーマット３は、ブロックスプレッディング（ｂｌｏｃｋ  ｓｐｒｅａｄｉｎｇ）基盤転送を遂行する。即ち、ブロックスプレッディングコードを用いてマルチビットＡＣＫ／ＮＡＣＫを変調した変調シンボルシーケンスを時間領域で拡散した後、転送する。
【０１２４】
図１３は、ＰＵＣＣＨフォーマット３のチャンネル構造を例示する。
【０１２５】
図１３を参照すると、変調シンボルシーケンス｛ｄ１，ｄ２，．．．｝は、ブロックスプレッディングコードが適用されて時間領域で拡散される。ブロックスプレッディングコードは、直交カバーコード（ｏｒｔｈｏｇｏｎａｌ  ｃｏｖｅｒ  ｃｏｄｅ：ＯＣＣ）でありうる。ここで、変調シンボルシーケンスは、マルチビットであるＡＣＫ／ＮＡＣＫ情報ビットがチャンネルコーディング（ＲＭコード、ＴＢＣＣ、パンクチャリングされたＲＭコードなどを用いた）されてＡＣＫ／ＮＡＣＫ  ｃｏｄｅｄビットが生成され、上記ＡＣＫ／ＮＡＣＫ  ｃｏｄｅｄビットが変調（例えば、ＱＰＳＫ）された変調シンボルのシーケンスでありうる。変調シンボルのシーケンスはＦＦＴ（ｆａｓｔ  Ｆｏｕｒｉｅｒ  ｔｒａｎｓｆｏｒｍ）、ＩＦＦＴ（ｉｎｖｅｒｓｅ  ｆａｓｔ  Ｆｏｕｒｉｅｒ  ｔｒａｎｓｆｏｒｍ）を経てスロットのデータシンボルにマッピングされた後、転送される。図１３では、１つのスロットに２つのＲＳシンボルが存在する場合を例示したが、３個のＲＳシンボルが存在することができ、このような場合、長さ４のブロックスプレッディングコードが使用できる。
【０１２６】
このようなＰＵＣＣＨフォーマット３は、ノーマルＣＰで４８ビットのチャンネルコーディングされたビットを転送することができる。ＵＣＩビット（情報ビット）が１１ビット以下の時は、＜表４＞の（３２，Ａ）ＲＭコーディングを使用し、ＰＵＣＣＨフォーマット３のコーディングされたビット数に合せるために循環反復を使用する。＜表４＞で見るように、（３２，Ａ）ＲＭコードはベーシスシーケンスが１１個だけであるので、ＵＣＩビットが１１ビットより大きければ、２つの（３２，Ａ）ＲＭコードを用いた二重ＲＭコーディング（ｄｕａｌ  ＲＭ  ｃｏｄｉｎｇ）を遂行する。
【０１２７】
図１４は、二重ＲＭコーディング過程を例示する。
【０１２８】
図１４を参照すると、ＵＣＩビット列（情報ビット）が１１ビットを超過する場合、分割（ｓｅｇｍｅｎｔａｔｉｏｎ）を通じて分割されたビット列（これをセグメントと称する）を生成する。この際、セグメント１、セグメント２は、各々１１ビット以下となる。セグメント１、２は、各々（３２，Ａ）ＲＭコーディングを経てインターリービングまたは連接される。その後、ＰＵＣＣＨフォーマット３のコーディングされたビット数に合せるために切断または循環反復された後、転送される。
【０１２９】
（無線通信システムにおけるチャンネル状態情報転送方法）
【０１３０】
無線通信システムで与えられたチャンネル容量（ｃｈａｎｎｅｌ  ｃａｐａｃｉｔｙ）を最大限活用するためにリンク適応（ｌｉｎｋ  ａｄａｐｔａｔｉｏｎ）を使用して、与えられたチャンネルによってＭＣＳ（ｍｏｄｕｌａｔｉｏｎ  ａｎｄ  ｃｏｄｉｎｇ  ｓｃｈｅｍｅ）と転送電力（Ｔｒａｎｓｍｉｓｓｉｏｎ  Ｐｏｗｅｒ）を調節する。このようなリンク適応を基地局で遂行するためには、端末のチャンネル状態情報フィードバックが必要である。
【０１３１】
１．チャンネル状態情報（ｃｈａｎｎｅｌ  ｓｔａｔｕｓ  ｉｎｆｏｒｍａｔｉｏｎ：ＣＳＩ）
【０１３２】
効率的な通信のためにはチャンネル情報をフィードバックすることが必要であるが、一般的にダウンリンクのチャンネル情報はアップリンクを通じて転送され、アップリンクのチャンネル情報はダウンリンクを通じて転送される。チャンネルの状態を示すチャンネル情報をチャンネル状態情報といい、チャンネル状態情報にはＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）などがある。
【０１３３】
２．ダウンリンク転送モード
【０１３４】
ダウンリンク転送モードは、後述する９種類に区分できる。
【０１３５】
転送モード１：単一アンテナポート、ポート０
【０１３６】
転送モード２：転送ダイバーシティ（ｔｒａｎｓｍｉｔ  ｄｉｖｅｒｓｉｔｙ）
【０１３７】
転送モード３：開放ループ（ｏｐｅｎ  ｌｏｏｐ）空間多重化（ｓｐａｔｉａｌ  ｍｕｌｔｉｐｌｅｘｉｎｇ）：ＲＩフィードバックに基盤したランク適応が可能な開放ループモードである。ランクが１の場合、転送ダイバーシティが適用できる。ランクが１より大きい場合、大きい遅延（ｌａｒｇｅ  ｄｅｌａｙ）ＣＤＤが使用できる。
【０１３８】
転送モード４：閉ループ（ｃｌｏｓｅｄ  ｌｏｏｐ）空間多重化または転送ダイバーシティ
【０１３９】
転送モード５：転送ダイバーシティまたはマルチユーザＭＩＭＯ
【０１４０】
転送モード６：転送ダイバーシティまたは単一転送レイヤを有する閉ループ空間多重化
【０１４１】
転送モード７：ＰＢＣＨ（ｐｈｙｓｉｃａｌ  ｂｒｏａｄｃａｓｔ  ｃｈａｎｎｅｌ）アンテナポートの個数が１であれば、単一アンテナポート（ポート０）を使用し、でなければ、転送ダイバーシティ使用。または、単一アンテナ転送（ポート５）。
【０１４２】
転送モード８：ＰＢＣＨアンテナポート個数が１つであれば、単一アンテナポート（ポート０）が使われ、でなければ、転送ダイバーシティ。または、アンテナポート７及び８を用いたデュアルレイヤ転送またはポート７またはポート８を用いた単一アンテナポート転送。
【０１４３】
転送モード９：最大８レイヤ転送（ポート７から１４）。
【０１４４】
ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）サブフレームでない場合、ＰＢＣＨアンテナポート個数が１つであれば、単一アンテナポート転送（ポート０）が使われ、でなければ、転送ダイバーシティ。
【０１４５】
ＭＢＳＦＮサブフレームの場合には、単一アンテナポート転送（ポート７）。
【０１４６】
３．ＣＳＩの周期的転送。
【０１４７】
ＣＳＩは上位階層で定めた周期によって周期的にＰＵＣＣＨを介して転送できる。端末はＰＵＣＣＨを介して周期的に差分（ｄｉｆｆｅｒｅｎｔｉａｌ）ＣＳＩ（ＣＱＩ、ＰＭＩ、ＲＩ）をフィードバックするように上位階層信号により半静的に設定できる。この際、端末は次の表のように定義されたモードによって該当ＣＳＩを転送する。
【０１４８】
【表５】
0005859683.tif 000007
【０１４９】
上述した各転送モード別に次のようなＰＵＣＣＨでの周期的ＣＳＩレポーティングモードがサポートされる。
【０１５０】
【表６】
0005859683.tif 000008
【０１５１】
一方、ＣＳＩレポートの衝突とは、第１のＣＳＩを転送するように設定されたサブフレームと第２のＣＳＩを転送するように設定されたサブフレームとが同一な場合をいう。ＣＳＩレポートの衝突が発生する場合、第１のＣＳＩと第２のＣＳＩとを同時に転送するか、または第１のＣＳＩと第２のＣＳＩの優先順位（ｐｒｉｏｒｉｔｙ）によって優先順位の低いＣＳＩの転送を放棄（これをドロップ（ｄｒｏｐ）という）し、優先順位の高いＣＳＩを転送することができる。
【０１５２】
ＰＵＣＣＨを介してのＣＳＩレポートは、ＣＱＩ／ＰＭＩ／ＲＩの転送組合によって次のように多様なレポートタイプが存在することができ、各レポートタイプ（以下、タイプと略称）によって区分される周期及びオフセット値がサポートされる。
【０１５３】
タイプ１：端末が選択したサブバンドに対するＣＱＩフィードバックをサポートする。
【０１５４】
タイプ１ａ：サブバンドＣＱＩ及び第２のＰＭＩフィードバックをサポートする。
【０１５５】
タイプ２、２ｂ、２ｃ：広帯域ＣＱＩとＰＭＩフィードバックをサポートする。
【０１５６】
タイプ２ａ：広帯域ＰＭＩフィードバックをサポートする。
【０１５７】
タイプ３：ＲＩフィードバックをサポートする。
【０１５８】
タイプ４：広帯域ＣＱＩを転送する。
【０１５９】
タイプ５：ＲＩと広帯域ＰＭＩフィードバックをサポートする。
【０１６０】
タイプ６：ＲＩとＰＴＩフィードバックをサポートする。
【０１６１】
各サービングセルに対し、ＣＱＩ／ＰＭＩレポーティングに対してサブフレーム単位の周期であるＮｐｄ及びオフセットＮｏｆｆｓｅｔ，ＣＱＩがパラメータ‘ｃｑｉ−ｐｍｉ−ＣｏｎｆｉｇＩｎｄｅｘ’（ＩＣＱＩ／ＰＭＩ）に基づいて決定される。また、各サービングセルに対してＲＩレポーティングに対して周期ＭＲＩ及び相対的オフセット（ｒｅｌａｔｉｖｅ  ｏｆｆｓｅｔ）Ｎｏｆｆｓｅｔ，ＲＩがパラメータ‘ｒｉ−ＣｏｎｆｉｇＩｎｄｅｘ’（ＩＲＩ）に基づいて決定される。‘ｃｑｉ−ｐｍｉ−ＣｏｎｆｉｇＩｎｄｅｘ’及び‘ｒｉ−ＣｏｎｆｉｇＩｎｄｅｘ’は、ＲＲＣメッセージのような上位階層信号により設定される。ＲＩのための相対的オフセットＮｏｆｆｓｅｔ，ＲＩは集合｛０，−１，．．．，−（Ｎｐｄ−１）｝のうちで値を有する。
【０１６２】
端末がＣＳＩをレポーティングするサブフレームをＣＳＩサブフレームというが、端末には複数のＣＳＩサブフレームで構成されたＣＳＩサブフレーム集合が設定できる。仮に、端末に２つ以上のＣＳＩサブフレーム集合でレポーティングが設定される場合であれば、各ＣＳＩサブフレーム集合に対応する‘ｃｑｉ−ｐｍｉ−ＣｏｎｆｉｇＩｎｄｅｘ’及び‘ｒｉ−ＣｏｎｆｉｇＩｎｄｅｘ’が与えられる。例えば、２つのＣＳＩサブフレーム集合でＣＳＩレポーティングが設定される場合、‘ｃｑｉ−ｐｍｉ−ＣｏｎｆｉｇＩｎｄｅｘ’及び‘ｒｉ−ＣｏｎｆｉｇＩｎｄｅｘ’は第１のＣＳＩサブフレーム集合に対するものであり、‘ｃｑｉ−ｐｍｉ−ＣｏｎｆｉｇＩｎｄｅｘ２’及び‘ｒｉ−ＣｏｎｆｉｇＩｎｄｅｘ２’は第２のＣＳＩサブフレーム集合に対するものである。
【０１６３】
１つのサービングセルに対するＣＳＩタイプ３、５、または６のＣＳＩレポートと上記１つのサービングセルに対するＣＳＩタイプ１、１ａ、２、２ａ、２ｂ、２ｃ、または４のＣＳＩレポートとが衝突する場合、ＣＳＩタイプ１、１ａ、２、２ａ、２ｂ、２ｃ、または４のＣＳＩレポートが優先順位が低いし、ドロップされる。
【０１６４】
端末に２つ以上のサービングセルが設定された場合、端末は与えられたサブフレームでただ１つのサービングセルに対するＣＳＩレポーティングのみを遂行する。与えられたサブフレームで第１セルのＣＳＩタイプ３、５、６、または２ａのＣＳＩレポートと第２セルのＣＳＩタイプ１、１ａ、２、２ｂ、２ｃ、または４のＣＳＩレポートとが衝突することがある。この場合、ＣＳＩタイプ１、１ａ、２、２ｂ、２ｃ、または４のＣＳＩレポートが優先順位が低いし、ドロップされる。
【０１６５】
与えられたサブフレームで、第１セルのＣＳＩタイプ２、２ｂ、２ｃ、または４のＣＳＩレポートと第２セルのＣＳＩタイプ１または１ａのＣＳＩレポートとが衝突することがある。この場合、ＣＳＩタイプ１または１ａのＣＳＩレポートが優先順位が低いし、ドロップされる。上記第１セルと第２セルとは互いに異なるセルである。
【０１６６】
与えられたサブフレームで、互いに異なるサービングセルの同一な優先順位を有するＣＳＩタイプのＣＳＩレポートが衝突することがある。この場合には、最も低いサービングセルインデックス（ＳｅｒｖＣｅｌｌＩｎｄｅｘ）を有するサービングセルのＣＳＩがレポートされ、他の全てのサービングセルのＣＳＩはドロップされる。
【０１６７】
ここに、本発明に対して説明する。
【０１６８】
図１５は、端末のＰＵＣＣＨを介してのＵＣＩ転送過程を示す。
【０１６９】
図１５を参照すると、基地局は端末にＰＵＣＣＨフォーマットを設定する（Ｓ１００）。ＰＵＣＣＨフォーマットは、例えばＰＵＣＣＨフォーマット３でありうる。
【０１７０】
基地局は、参照信号及びデータを端末に転送する（Ｓ１１０）。端末は、ＵＣＩを生成し、転送電力を決定する（Ｓ１２０）。例えば、端末は参照信号を用いて周期的ＣＳＩを生成し、データをデコーディングして受信成功か否かによってＡＣＫ／ＮＡＣＫを生成することができる。
【０１７１】
端末は、設定されたＰＵＣＣＨフォーマット、決定された転送電力でＵＣＩを基地局に転送する（Ｓ１３０）。サブフレーム別にＵＣＩは変わることがあり、周期的ＣＳＩとＡＣＫ／ＮＡＣＫとが同一サブフレームで転送される衝突状況が発生することがある。
【０１７２】
（ＰＵＣＣＨのための電力制御）
【０１７３】
既存ＬＴＥ−ＡではＰＵＣＣＨの効率的な転送のために次のような電力制御方法を使用する。
【０１７４】
サービングセルｃがプライマリセルであれば、サブフレームｉでＰＵＣＣＨ転送のための転送電力（ｔｒａｎｓｍｉｔ  ｐｏｗｅｒ）ＰＰＵＣＣＨは次の数式のように定義される。
【０１７５】
【数２】
0005859683.tif 000009
【０１７６】
［ｄＢｍ］
【０１７７】
仮に、端末がプライマリセルでＰＵＣＣＨを転送しなければ、ＤＣＩフォーマット３／３Ａで受信したＴＰＣ命令の蓄積のために、端末はサブフレームｉでＰＵＣＣＨ転送のための転送電力ＰＰＵＣＣＨを次の数式のように仮定する。
【０１７８】
【数３】
0005859683.tif 000010
【０１７９】
上記数式において、ＰＣＭＡＸ，ｃ（ｉ）はサブフレームｉでサービングセルｃのために設定された端末の転送電力である。
【０１８０】
ΔＦ＿ＰＵＣＣＨ（Ｆ）は上位階層信号に与えられるパラメータである。各ΔＦ＿ＰＵＣＣＨ（Ｆ）値はＰＵＣＣＨフォーマット１ａを基準にして相対的にＰＵＣＣＨフォーマット（Ｆ）に対して与えられる値である。Ｆは１、１ａ、１ｂ、２、２ａ、２ｂ、または３でありうる。
【０１８１】
仮に、端末が２つのアンテナポートを介してＰＵＣＣＨを転送するように上位階層により設定されれば、ΔＴｘＤ（Ｆ’）の値は上位階層により与えられ、でなければΔＴｘＤ（Ｆ’）＝０である。
【０１８２】
ｈ（ｎＣＱＩ、ｎＨＡＲＱ、ｎＳＲ）はＰＵＣＣＨフォーマットに従属的な値であり、ｎＣＱＩはＣＱＩの情報ビットの個数に対応する。仮に、サブフレームｉがＵＬ−ＳＣＨのための転送ブロック（ｔｒａｎｓｐｏｒｔ  ｂｌｏｃｋ）を１つも持たない端末のためのＳＲのために設定されればｎＳＲは１であり、でなければ、ｎＳＲは０である。端末に１つのサービングセルが設定されればｎＨＡＲＱはサブフレームｉで転送されるＡ／Ｎビットの個数であり、でなければ、ｎＨＡＲＱは“３ＧＰＰ  ＴＳ３６．２１３  Ｖ１０、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：Ｐｈｙｓｉｃａｌ  ｌａｙｅｒ  ｐｒｏｃｅｄｕｒｅｓ（Ｒｅｌｅａｓｅ  １０）”の１０．１節で定義される。
【０１８３】
即ち、ＦＤＤで端末に２つのサービングセルが設定され、ＰＵＣＣＨフォーマット１ｂチャンネル選択が設定されるか、または端末に２つ以上のサービングセルが設定され、ＰＵＣＣＨフォーマット３が設定された場合、ｎＨＡＲＱは次の数式のように決定される。
【０１８４】
【数４】
0005859683.tif 000011
【０１８５】
上記数式において、ＮＤＬｃｅｌｌｓは設定されたセルの個数であり、Ｎｒｅｃｅｉｖｅｄｃはサービングセルｃのサブフレームｎ−４で受信した転送ブロックまたはＳＰＳ解除ＰＤＣＣＨの個数である。
【０１８６】
ＴＤＤにおいて、１）端末に２つのサービングセルが設定され、ＰＵＣＣＨフォーマット１ｂチャンネル選択が設定され、Ｍ＝１のサブフレームｎ、または２）端末にＵＬ−ＤＬ設定０が設定され、ＰＵＣＣＨフォーマット３が設定された場合、ｎＨＡＲＱは次の数式のように決定される。
【０１８７】
【数５】
0005859683.tif 000012
【０１８８】
上記＜数式５＞において、Ｎｒｅｃｅｉｖｅｄｋ、ｃはサービングセルｃのサブフレームｎ−４で受信した転送ブロックまたはＳＰＳ解除ＰＤＣＣＨの個数である。ｋ∈Ｋであり、Ｋは３ＧＰＰ  ＴＳ３６．２１３．Ｖ１０、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）：ｐｈｙｓｉｃａｌ  ｌａｙｅｒ  ｐｒｏｃｅｄｕｒｅｓ（Ｒｅｌｅａｓｅ  １０）のテーブル１０．１．３．１−１に定義され、Ｍ個の要素、即ち、｛ｋ０，ｋ１，．．．，ｋＭ−１｝で構成された集合である（以下、同一）。
【０１８９】
ＴＤＤ  ＵＬ−ＤＬ設定１〜６に対し、ＰＵＣＣＨフォーマット３が設定されるか、ＴＤＤで２つのサービングセルが設定され、ＰＵＣＣＨフォーマット１ｂチャンネル選択が設定され、Ｍ＝２の場合にｎＨＡＲＱは次の数式のように決定される。
【０１９０】
【数６】
0005859683.tif 000013
【０１９１】
上記＜数式６＞で、ＶＤＬＤＡＩ、ｃはサービングセルｃでのＶＤＬＤＡＩである。ＵＤＡＩ、ｃはサービングセルｃでのＵＤＡＩである。ｎＡＣＫｃはサービングセルｃで設定されたダウンリンク転送モードに対応するＨＡＲＱ−ＡＣＫビットの個数である。サービングセルｃに空間ＨＡＲＱ−ＡＣＫバンドリングが適用される場合、ｎＡＣＫｃ＝１であり、Ｎｒｅｃｅｉｖｅｄｋ、ｃはサービングセルｃのサブフレームｎ−ｋで対応するＰＤＣＣＨ無しで受信したＰＤＳＣＨまたはＰＤＣＣＨの個数を示す。
【０１９２】
サービングセルｃに空間ＨＡＲＱ−ＡＣＫバンドリングが適用されない場合、Ｎｒｅｃｅｉｖｅｄｋ、ｃはサービングセルｃのサブフレームｎ−ｋで受信した転送ブロックの個数またはＳＰＳ解除ＰＤＣＣＨの個数を示す。
【０１９３】
仮に、転送ブロックやＳＰＳ解除ＰＤＣＣＨが上記サブフレームｎ−ｋで検出されなければ、ＶＤＬＤＡＩ、ｃは０である。
【０１９４】
２つのサービングセルが設定されたＴＤＤでＰＵＣＣＨフォーマット１ｂチャンネル選択が設定され、Ｍ＝３または４の場合に、端末が１つのサービングセルのサブフレームｎ−ｋのみでＰＤＳＣＨやダウンリンクＳＰＳ解除を指示するＰＤＣＣＨ（ＳＰＳ解除ＰＤＣＣＨ）を受信すれば、ｎＨＡＲＱは２であり、でなければ、ｎＨＡＲＱは４である。
【０１９５】
ＰＵＣＣＨフォーマット１、１ａ、及び１ｂに対し、ｈ（ｎＣＱＩ、ｎＨＡＲＱ、ｎＳＲ）＝０である。
【０１９６】
ＰＵＣＣＨフォーマット１ｂチャンネル選択に対し、端末が２つ以上のサービングセルが設定されれば、ｈ（ｎＣＱＩ、ｎＨＡＲＱ、ｎＳＲ）＝（ｎＨＡＲＱ−１）／２であり、でなければ、ｈ（ｎＣＱＩ、ｎＨＡＲＱ、ｎＳＲ）＝０である。
【０１９７】
ＰＵＣＣＨフォーマット２、２ａ、２ｂであり、ノーマルＣＰであれば、ｈ（ｎＣＱＩ、ｎＨＡＲＱ、ｎＳＲ）は次の数式の通りである。
【０１９８】
【数７】
0005859683.tif 000014
【０１９９】
ＰＵＣＣＨフォーマット２、２ａ、２ｂであり、拡張ＣＰであれば、ｈ（ｎＣＱＩ、ｎＨＡＲＱ、ｎＳＲ）は次の数式の通りである。
【０２００】
【数８】
0005859683.tif 000015
【０２０１】
ＰＵＣＣＨフォーマット３に対し、端末が上位階層により２つのアンテナポートを介してＰＵＣＣＨを転送するように設定されるか、または端末が１１ビットより多いＨＡＲＱ−ＡＣＫ／ＳＲを転送すれば、ｈ（ｎＣＱＩ、ｎＨＡＲＱ、ｎＳＲ）は次の数式の通りである。
【０２０２】
【数９】
0005859683.tif 000016
【０２０３】
でなければ、ｈ（ｎＣＱＩ、ｎＨＡＲＱ、ｎＳＲ）は次の数式の通りである。
【０２０４】
【数１０】
0005859683.tif 000017
【０２０５】
ＰＯ＿ＰＵＣＣＨは上位階層により提供されるＰＯ＿ＮＯＭＩＮＡＬ＿ＰＵＣＣＨパラメータ及びＰＯ＿ＵＥ＿ＰＵＣＣＨの和で構成されるパラメータである。
【０２０６】
δｐｕｃｃｈは端末特定的な補正値であり、プライマリセルに対するＤＣＩフォーマット１Ａ／１Ｂ／１Ｄ／１／２Ａ／２／２Ｂ／２Ｃを含むＰＤＣＣＨまたはＣＲＣパリティビットがＴＰＣ−ＰＵＣＣＨ−ＲＮＴＩでスクランブリングされたＤＣＩフォーマット３／３Ａを含むＰＤＣＣＨで他の端末特定的ＰＵＣＣＨ補正値とジョイントコーディングされて転送されたＴＰＣ命令に関連する。
【０２０７】
端末はＤＲＸを除外した全てのサブフレームでＴＰＣ−ＰＵＣＣＨ−ＲＮＴＩにＤＣＩフォーマット３／３Ａを有するＰＤＣＣＨをデコーディング試み、Ｃ−ＲＮＴＩまたはＳＰＳ  Ｃ−ＲＮＴＩにＤＣＩフォーマット１Ａ／１Ｂ／１Ｄ／１／２Ａ／２／２Ｂ／２Ｃを有する１つまたは複数のＰＤＣＣＨをデコーディング試みる。
【０２０８】
仮に、端末がプライマリセルに対するＤＣＩフォーマット１Ａ／１Ｂ／１Ｄ／１／２Ａ／２／２Ｂ／２Ｃを含むＰＤＣＣＨをデコーディングし、対応する検出されたＲＮＴＩが上記端末のＣ−ＲＮＴＩまたはＳＰＳ  Ｃ−ＲＮＴＩと同一であり、上記ＤＣＩフォーマットに含まれたＴＰＣフィールドがＰＵＣＣＨ資源決定に使われなければ、端末は上記ＰＤＣＣＨで提供されるδｐｕｃｃｈを使用する。
【０２０９】
そうでなくて、仮に端末がＤＣＩフォーマット３／３Ａを含むＰＤＣＣＨをデコーディングすれば、端末は上記ＰＤＣＣＨで提供されるδｐｕｃｃｈを使用し、でなければ、δｐｕｃｃｈは０ｄＢに設定される。
【０２１０】
ｇ（ｉ）は現在ＰＵＣＣＨ電力制御調整状態（ｐｏｗｅｒ  ｃｏｎｔｒｏｌ  ａｄｊｕｓｔｍｅｎｔ  ｓｔａｔｅ）であり、ｇ（０）はリセット後の最初値である。ｇ（ｉ）は次の数式のように示すことができる。
【０２１１】
【数１１】
0005859683.tif 000018
【０２１２】
ＦＤＤで、Ｍ＝１、ｋ０＝４である。
【０２１３】
ＴＤＤで、Ｍは１つのＵＬサブフレームに対応するＤＬサブフレームの個数であり、ｋｍの値は該当ＵＬサブフレームに対応するサブフレーム、即ちサブフレームｎ−ｋｍを示す。
【０２１４】
ＤＣＩフォーマット１Ａ／１Ｂ／１Ｄ／１／２Ａ／２／２Ｂ／２Ｃを有するＰＤＣＣＨを介してシグナリングされるδｐｕｃｃｈ値は次の表のように与えられる。
【０２１５】
【表７】
0005859683.tif 000019
【０２１６】
仮に、ＤＣＩフォーマット１／１Ａ／２／２Ａ／２Ｂ／２Ｃを有するＰＤＣＣＨがＳＰＳ活性化ＰＤＣＣＨに認証されるか、またはＤＣＩフォーマット１Ａを有するＰＤＣＣＨがＳＰＳ活性化ＰＤＣＣＨに認証されれば、δｐｕｃｃｈは０ｄＢとなる。
【０２１７】
ＤＣＩフォーマット３／３Ａを有するＰＤＣＣＨを介してシグナリングされるδｐｕｃｃｈ値は、上記＜表７＞または次の＜表８＞のように与えられる。＜表７＞、＜表８＞のうち、どれを使用するかは上位階層により半静的に設定される。
【０２１８】
【表８】
0005859683.tif 000020
【０２１９】
仮に、ＰＯ＿ＵＥ＿ＰＵＣＣＨ値が上位階層により変更されれば、ｇ（０）＝０であり、でなければ、次の式のように与えられる。
【０２２０】
【数１２】
0005859683.tif 000021
【０２２１】
上記＜数式１２＞で、δｍｓｇ２はランダムアクセス応答で指示されるＴＰＣ命令であり、ΔＰｒａｍｐｕｐは上位階層により提供される最初のプリアンブルから最後のプリアンブルまでの総電力増加を示す。
【０２２２】
仮に、端末がプライマリセルに対してＰＣＭＡＸ、ｃ（ｉ）に到達すれば、プライマリセルに対する正のＴＰＣ命令は蓄積（ａｃｃｕｍｕｌａｔｉｏｎ）されない。
【０２２３】
仮に、端末が最小電力に到達すれば、負のＴＰＣ命令は蓄積されない。
【０２２４】
端末は、１）ＰＯ＿ＵＥ＿ＰＵＣＣＨ値が上位階層により変更された時、２）ランダムアクセス応答メッセージを受信した時には蓄積をリセットする。
【０２２５】
仮に、サブフレームｉがＴＤＤでアップリンクサブフレームでなければ、ｇ（ｉ）＝ｇ（ｉ−１）である。
【０２２６】
ＬＴＥ  Ｒｅｌ−８では、ＰＵＳＣＨ転送がないサブフレームで周期的ＣＱＩ転送が設定され、周期的ＣＱＩ転送とＨＡＲＱ  ＡＣＫ／ＮＡＣＫ（Ａ／Ｎ、ＨＡＲＱ−ＡＣＫ、ＡＣＫ／ＮＡＣＫと表示することができる）転送が衝突することがある。この場合、Ａ／Ｎと周期的ＣＱＩとの同時転送が可能に設定されれば、Ａ／Ｎは周期的ＣＱＩが転送されるＰＵＣＣＨフォーマット２の２番目の参照信号シンボルの位相を変調する方式を用いて多重化される。
【０２２７】
ＬＴＥ−Ａでは、１つのサブフレームで複数セルのＰＤＳＣＨまたはＰＤＣＣＨに対する複数のＡ／Ｎの転送が要求され、上記サブフレームでＰＵＳＣＨ転送がなければ、ＵＬ制御チャンネル（即ち、ＰＵＣＣＨ）を介してＣＳＩとＡ／Ｎとを多重化して転送する方法が必要となる。
【０２２８】
一方、ＬＴＥ−Ａ  Ｒｅｌ−１０では複数セルのＰＤＳＣＨ／ＰＤＣＣＨに対するＡ／Ｎを転送する場合のために新たなＰＵＣＣＨフォーマットであるＰＵＣＣＨフォーマット３を導入したが、ＰＵＣＣＨフォーマット３は複数セルのＰＤＳＣＨ／ＰＤＣＣＨに対するＡ／Ｎの転送のみのために使われ、複数セルのＰＤＳＣＨ／ＰＤＣＣＨに対するＡ／Ｎ転送とＣＳＩ転送とが衝突する場合、ＣＳＩはドロップされた。
【０２２９】
しかしながら、将来のｒｅｌｅａｓｅ（即ち、ＬＴＥ−Ａ  Ｒｅｌ−１１以上）では、頻繁なＣＳＩドロップによる性能低下を減らすために、１つのアップリンク制御チャンネル（ｅ．ｇ．ＰＵＣＣＨフォーマット３）に複数セルのＰＤＳＣＨ／ＰＤＣＣＨに対するＡ／Ｎと（複数のダウンリンクセルに対する）ＣＳＩとの同時転送が考慮されている。
【０２３０】
本発明では、周期的ＣＳＩとＡ／Ｎ（及び／又はＳＲ）とが多重化して同一アップリンク制御チャンネルへの同時転送が設定された時のＵＣＩ構成とビット数に従う上記アップリンク制御チャンネルの電力制御方法を提案する。
【０２３１】
以下、ＣＳＩは非周期的ＣＳＩを除外した周期的ＣＳＩに限定できる。また、以下では説明の便宜上、チャンネルコーディング方式にＲＭコーディングを使用することを例示したが、他のコーディング方式が適用できることは自明である。また、複数のＲＭコーディングが使われる場合、２つのＲＭコーディングブロックが使われる二重ＲＭを例示にしたが、２つ以上のＲＭコーディングブロックが使われる場合にも本発明は拡張適用できる。また、コーディングされた制御情報が転送されるＵＬチャンネルにＰＵＣＣＨフォーマット３を例示するが、本発明はこれに限定されず、スプレッディングファクターを減らしたＰＵＣＣＨフォーマット３、ＰＵＳＣＨなどを介して制御情報を転送する場合にも適用できる。
【０２３２】
アップリンクで転送されるＵＣＩはＡ／Ｎ、ＳＲ、ＣＳＩなどがあり、一般的にダウンリンクシステム性能（ＤＬ  ｓｙｓｔｅｍ  ｔｈｒｏｕｇｈｐｕｔ）に直接的な影響を及ぼすＡ／Ｎと端末がアップリンクのデータ転送のためのＵＬデータチャンネルのスケジューリングを要求するＳＲなどの転送優先順位（ｐｒｉｏｒｉｔｙ）／性能要求事項を高く設定し、ＣＳＩは転送優先順位／性能要求事項を低く設定する。例えば、Ａ／Ｎの許容受信誤り率は１０−３に設定される一方、ＣＱＩの許容受信誤り率は１０−１として知られている。
【０２３３】
また、ＰＵＣＣＨフォーマットで転送されるＵＣＩは各々ＵＣＩ別に個別コーディング（ｓｅｐａｒａｔｅ  ｃｏｄｉｎｇ）されて各コーディングされたビットがレートマッチングされてＰＵＣＣＨフォーマットにマッピングされて転送できる。または、全てのＵＣＩがジョイントコーディング（ｊｏｉｎｔ  ｃｏｄｉｎｇ）されて、コーディングされたビットがレートマッチングされてＰＵＣＣＨフォーマットにマッピングされて転送できる。
【０２３４】
【数１３】
0005859683.tif 000022
【０２３５】
前述したように、＜数式１３＞はＰＵＣＣＨでの転送電力を決定する式であり、  ｈ（ｎＣＱＩ、ｎＨＡＲＱ、ｎＳＲ）はＰＵＣＣＨフォーマットに従属的な値で、該当フォーマットで転送されるＵＣＩのビット数によって決定される。
【０２３６】
ジョイントコーディング時には既存ＰＵＣＣＨフォーマット３に設定されたΔＦ＿ＰＵＣＣＨ（Ｆ）を適用することができ、個別コーディング時にはＰＵＣＣＨフォーマット３が変形された形態または新たなＰＵＣＣＨフォーマット（例えば、ＰＵＣＣＨフォーマット４）に設定されたΔＦ＿ＰＵＣＣＨ（Ｆ）を適用することができる。
【０２３７】
ｈ（ｎＣＱＩ、ｎＨＡＲＱ、ｎＳＲ）の設定方法を説明する。説明の便宜上、以下、エンコーダでコーディングされる以前の入力ＵＣＩをＵＣＩ＿ｒａｗと表示し、コーディング結果、生成された出力ＵＣＩをＵＣＩ＿ｃｏｄｅｄと表示する。
【０２３８】
Ａ．全てのＵＣＩがジョイントコーディングされて転送される場合、優先順位が最も高いＵＣＩに従う電力制御方法。
【０２３９】
ＵＣＩ転送にジョイントコーディングが使われる場合、受信側のデコーディング時にＵＣＩ＿ｒａｗの種類別にエラー率（ｅｒｒｏｒ  ｒａｔｅ）を調節することが容易でない。特に、ＵＣＩ＿ｒａｗに前処理過程（例えば、優先順位の高いＵＣＩに対してプリエンコーディングを遂行）を遂行した場合でない場合にそうである。したがって、ＣＳＩのエラー要求条件が低くてもＡ／Ｎ（または、ＳＲ）と同一なエラー要求条件を合せるように転送電力を上向き調節することができる。
【０２４０】
即ち、優先順位が異なる多種のＵＣＩ（Ａ／Ｎ、ＳＲ、ＣＱＩなど）がジョイントコーディングされて転送される場合、優先順位の高いＵＣＩ（Ａ／Ｎ及び／又はＳＲ）に合せて転送電力を設定することができる。これを数式で表現すれば、次の数式のように示すことができる。
【０２４１】
【数１４】
0005859683.tif 000023
【０２４２】
【数１５】
0005859683.tif 000024
【０２４３】
ＰＵＣＣＨフォーマット３が適用される時、上記＜数式１４＞はＡ／Ｎ、ＳＲ、及びＣＳＩの総和が１１ビットより大きい場合（二重ＲＭコーディングを行う場合）ｈ（ｎＣＱＩ、ｎＨＡＲＱ、ｎＳＲ）を表し、＜数式１５＞はその以外の場合、ｈ（ｎＣＱＩ、ｎＨＡＲＱ、ｎＳＲ）を示す。即ち、既存のＡ／Ｎ（＋ＳＲ）のみ転送される場合の転送電力式にＣＳＩのペイロードビット数を含んで適用することができる。ここでは、単一アンテナポートに転送するケースに該当し、複数のアンテナポートへの転送ダイバーシティが適用された場合には別途に定義できる。
【０２４４】
即ち、従来ＰＵＣＣＨフォーマット３では複数のセルに対するＡＣＫ／ＮＡＣＫと周期的ＣＳＩとが同一サブフレームで衝突する場合、周期的ＣＳＩをドロップしたので、ＰＵＣＣＨの転送電力決定のために前述した＜数式９＞、＜数式１０＞を使用しても構わない。しかしながら、ＬＴＥ−Ａ  ｒｅｌｅａｓｅ  １１の以後では複数のセルに対するＡＣＫ／ＮＡＣＫと周期的ＣＳＩとを同一サブフレームに多重化して転送することをサポートすることができる。したがって、前述した＜数式９＞、＜数式１０＞の代わりに＜数式１４＞、＜数式１５＞によりＰＵＣＣＨの転送電力を決定することが必要でありうる。
【０２４５】
図１６は、本発明の一実施形態に係る端末のＰＵＣＣＨに対する転送電力決定方法を示す。
【０２４６】
端末はＰＵＣＣＨフォーマットに従属的な値に基づいてＰＵＣＣＨに適用する転送電力を決定する（Ｓ１２１）。ＰＵＣＣＨフォーマットは、変調方式及びサブフレーム内で転送されるビット数によってＰＵＣＣＨフォーマット１／１ａ／１ｂ／２／２ａ／２ｂ／３などに区分できる。ＰＵＣＣＨフォーマットに従属的な値は前述したｈ（ｎＣＱＩ、ｎＨＡＲＱ、ｎＳＲ）でありうる。端末は、この値に基づいてサブフレームのアップリンク制御チャンネルに適用する転送電力を決定する。
【０２４７】
端末は、アップリンク制御チャンネルで決定された転送電力で、少なくとも１種類のＵＣＩを転送する（Ｓ１２２）。ＰＵＣＣＨフォーマットがＰＵＣＣＨフォーマット３であり、上記少なくとも１種類のＵＣＩがＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）及び周期的チャンネル状態情報（ｃｈａｎｎｅｌ  ｓｔａｔｅ  ｉｎｆｏｒｍａｔｉｏｎ：ＣＳＩ）を含めば、上記ＰＵＣＣＨフォーマットに従属的な値は上記ＡＣＫ／ＮＡＣＫのビット数及び上記周期的ＣＳＩのビット数に基づいて決定される。即ち、単一アンテナポート転送時、ＵＣＩの総合が１１ビットより大きいか、または２つのアンテナポートを介して上記ＰＵＣＣＨフォーマット３を転送するように設定された場合、上記ＰＵＣＣＨフォーマットに従属的な値ｈ（ｎＣＱＩ、ｎＨＡＲＱ、ｎＳＲ）＝（ｎＨＡＲＱ＋ｎＳＲ＋ｎＣＱＩ−１）／３のように決定され、その以外の場合（例えば、単一アンテナポート転送時、ＵＣＩの総合が１１ビット以下より小さい場合）には、ｈ（ｎＣＱＩ、ｎＨＡＲＱ、ｎＳＲ）＝（ｎＨＡＲＱ＋ｎＳＲ＋ｎＣＱＩ−１）／２のように決定できる。ｎＨＡＲＱは上記ＡＣＫ／ＮＡＣＫのビット数、ｎＣＱＩは上記周期的ＣＳＩのビット数、ｎＳＲは上記サブフレームがスケジューリング要請（ｓｃｈｅｄｕｌｉｎｇｒｅｑｕｅｓｔ：ＳＲ）のために設定されれば１であり、その以外の場合には０である。
【０２４８】
また、ＰＵＣＣＨフォーマット３が設定され、上記少なくとも１種類のＵＣＩが周期的ＣＳＩ無しでＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）またはスケジューリング要請（ｓｃｈｅｄｕｌｉｎｇｒｅｑｕｅｓｔ：ＳＲ）のみ含み、ＵＣＩの総合が１１ビットより大きい場合、または２つのアンテナポートを介してＰＵＣＣＨを転送するもので、上位階層により設定された場合、上記ＰＵＣＣＨフォーマットに従属的な値（ｈ（ｎＣＱＩ、ｎＨＡＲＱ、ｎＳＲ））はｈ（ｎＣＱＩ、ｎＨＡＲＱ、ｎＳＲ）＝（ｎＨＡＲＱ＋ｎＳＲ−１）／３のように決定され、その以外の場合（例えば、単一アンテナポート転送時、ＵＣＩの総合が１１ビット以下より小さい場合）にはｈ（ｎＣＱＩ、ｎＨＡＲＱ、ｎＳＲ）＝（ｎＨＡＲＱ＋ｎＳＲ−１）／２のように決定できる。
【０２４９】
ＡＣＫ／ＮＡＣＫがＰＵＣＣＨフォーマット３に含まれる参照信号シンボルの変調を通じて転送される場合、上記参照信号シンボルの変調を通じて転送されるＡＣＫ／ＮＡＣＫのビット数は上記ｎＨＡＲＱに含まれないことがある。上記ＡＣＫ／ＮＡＣＫ（ＳＲがある場合、ＳＲも含み）は周期的ＣＳＩと共にジョイントコーディングされて転送されるＡＣＫ／ＮＡＣＫを意味し、参照信号シンボル変調により転送されるＡＣＫ／ＮＡＣＫは除外するものでありうる。
【０２５０】
上記＜数式１４＞、＜数式１５＞は、ＣＳＩをＡ／Ｎ（及びＳＲ）と同一なエラー要求条件に合せた転送電力で転送するものであって、Ａ／Ｎ（及びＳＲ）が存在する場合（即ち、ｎＨＡＲＱ＋ｎＳＲ＞０の場合）のみに適用することができる。
【０２５１】
Ａ／Ｎ（及びＳＲ）が存在せず、ＣＳＩのみ存在する場合（即ち、ｎＨＡＲＱ＋ｎＳＲ＝０の場合や、またはＳＲのエラー要求条件をＣＳＩと同一に設定してＣＳＩとＳＲとを同時転送する場合であれば、ｎＨＡＲＱ＝０）、ＣＳＩのエラー要求条件に合せた別途の方式が適用できる。
【０２５２】
または、上記＜数式１４＞、＜数式１５＞は、ｎＨＡＲＱ＋ｎＳＲ＋ｎＲＩ系列＞０の場合のみに適用されることもできる。または、ＳＲのエラー要求条件をＣＳＩと同一に設定してＣＳＩとＳＲとを同時転送すれば、ｎＨＡＲＱ＋ｎＲＩ系列＞０の場合のみに適用されることもできる。
【０２５３】
上述した方法はＡＲＩにより指示されるＰＵＣＣＨフォーマット３資源を使用する場合のみに適用することができる。即ち、ＡＲＩの指示無しでＲＲＣに指定された１つの資源を使用するＰＵＣＣＨフォーマット３の場合、他の方式を適用することができる。または、上述した方法は具現の単純化のためにＡ／Ｎ（＋ＳＲ）の存在有無に関わらず適用することができる。
【０２５４】
Ａ−１．優先順位の低いＵＣＩのみ転送される場合の電力制御設定方法。
【０２５５】
従来、上記＜数式１３＞で、ΔＦ＿ＰＵＣＣＨ（Ｆ）及びｈ（ｎＣＱＩ、ｎＨＡＲＱ、ｎＳＲ）はＡ／Ｎのエラー要求条件に合せて適用されるオフセット値ということができ、‘ｄｅｌｔａＦ−ＰＵＣＣＨ−Ｆｏｒｍａｔ３−ｒ１０’というパラメータにより決定された。上記方法ＡもＡ／Ｎのエラー要求条件に合せてＡ／Ｎ及びＣＳＩの転送電力を決定するものであるので、ΔＦ＿ＰＵＣＣＨ（Ｆ）はＡ／Ｎのみ転送する時に適用される値を適用することが好ましい。
【０２５６】
仮に、ＣＳＩのみ転送する場合（例えば、ｎＨＡＲＱ＋ｎＳＲ＝０の場合や、またはＳＲのエラー要求条件をＣＳＩと同一に設定してＣＳＩとＳＲとを同時転送する場合であれば、ｎＨＡＲＱ＝０）、ＣＳＩのエラー要求条件を超える不要な電力割当を避けるために、次のような方法のうちの１つを使用することができる。
【０２５７】
１）Ａ／Ｎのみ転送する場合と異なるΔＦ＿ＰＵＣＣＨ（ＦＣＱＩ＿ｏｎｌｙ）を使用し、Ａ／Ｎのみ転送する場合と同一なｈ（ｎＣＱＩ、ｎＨＡＲＱ、ｎＳＲ）を使用する方法。例えば、ＣＱＩのみを特定ＰＵＣＣＨフォーマットで転送する場合、上記パラメータをΔＦ＿ＰＵＣＣＨ（ＦＣＱＩ＿ｏｎｌｙ）と表示し、Ａ／Ｎのみ転送する場合、上記パラメータをΔＦ＿ＰＵＣＣＨ（Ｆ）とすれば、ΔＦ＿ＰＵＣＣＨ（ＦＣＱＩ＿ｏｎｌｙ）＜ΔＦ＿ＰＵＣＣＨ（Ｆ）に設定することができる。
【０２５８】
２）Ａ／Ｎのみ転送する場合と同一なΔＦ＿ＰＵＣＣＨ（Ｆ）、Ａ／Ｎのみ転送する場合と異なる別途の電力オフセット（δＣＱＩ＿ｏｎｌｙ）が定義されたｈ（ｎＣＱＩ、ｎＨＡＲＱ、ｎＳＲ）を使用する方法。
【０２５９】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式１６＞に変形されることができ、その以外の場合には＜数式１７＞に変形できる。＜数式１６＞は二重ＲＭ、＜数式１７＞は単一ＲＭを使用することができる。
【０２６０】
【数１６】
0005859683.tif 000025
【０２６１】
【数１７】
0005859683.tif 000026
【０２６２】
上記＜数式１６＞、＜数式１７＞で、δＣＱＩ＿ｏｎｌｙ＞０である。
【０２６３】
３）Ａ／Ｎのみ転送する場合と同一なΔＦ＿ＰＵＣＣＨ（Ｆ）、Ａ／Ｎのみ転送する場合と異なる別途の重み付け値ファクター（ｗＣＱＩ＿ｏｎｌｙ）が定義されたｈ（ｎＣＱＩ、ｎＨＡＲＱ、ｎＳＲ）を使用する方法。
【０２６４】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式１８＞に変形されることが  でき、その以外の場合には＜数式１９＞に変形できる。＜数式１８＞は二重ＲＭ、＜数式１９＞は単一ＲＭを使用することができる。
【０２６５】
【数１８】
0005859683.tif 000027
【０２６６】
【数１９】
0005859683.tif 000028
【０２６７】
上記＜数式１８＞、＜数式１９＞で、０＜ｗＣＱＩ＿ｏｎｌｙ＜１である。
【０２６８】
４）Ａ／Ｎのみ転送する場合と同一なΔＦ＿ＰＵＣＣＨ（Ｆ）、Ａ／Ｎのみ転送する場合と異なる別途の電力オフセット（δＣＱＩ＿ｏｎｌｙ）及び重み付け値ファクター（ｗＣＱＩ＿ｏｎｌｙ）が定義されたｈ（ｎＣＱＩ、ｎＨＡＲＱ、ｎＳＲ）を使用する方法。
【０２６９】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式２０＞に変形されることができ、その以外の場合には＜数式２１＞に変形できる。＜数式２０＞は二重ＲＭ、＜数式２１＞は単一ＲＭを使用することができる。
【０２７０】
【数２０】
0005859683.tif 000029
【０２７１】
【数２１】
0005859683.tif 000030
【０２７２】
上記＜数式２０＞、＜数式２１＞で、０＜ｗＣＱＩ＿ｏｎｌｙ＜１であり、δＣＱＩ＿ｏｎｌｙは実数値であり、例えば、−１または０でありうる。
【０２７３】
上述した１）から４）で、ΔＦ＿ＰＵＣＣＨ（ＦＣＱＩ＿ｏｎｌｙ）、ｗＣＱＩ＿ｏｎｌｙ、δＣＱＩ＿ｏｎｌｙはｎＣＱＩ値が特定値（ｎＣＱＩ＿ｔｈｒｅｓｈｏｌｄ）より大きいか等しい場合のみに適用することもできる。仮に、ｎＣＱＩ値が上記特定値（ｎＣＱＩ＿ｔｈｒｅｓｈｏｌｄ）より小さければΔＦ＿ＰＵＣＣＨ（ＦＣＱＩ＿ｏｎｌｙ）＝ΔＦ＿ＰＵＣＣＨ（Ｆ）、ｗＣＱＩ＿ｏｎｌｙ＝１、δＣＱＩ＿ｏｎｌｙ＝０に設定することができる。
【０２７４】
または、上述した１）から４）はｎＨＡＲＱ＋ｎＳＲ＋ｎＲＩ系列＝０の場合のみに適用することもできる。ＲＩ系列の情報はＣＱＩより相対的に重要度が高く、追って転送されるＣＳＩのビット数にも影響を及ぼすことがあるので、ＲＩ系列の情報に対するエラー要求条件をＡ／Ｎと同一な水準にするためである。
【０２７５】
ｎＣＱＩ＿ｔｈｒｅｓｈｏｌｄはＲＩ系列の情報の最大ビット数が３の場合は４、ＲＩ系列の情報の最大ビット数が５の場合は６に設定できる。ｗＣＱＩ＿ｏｎｌｙ、δＣＱＩ＿ｏｎｌｙはＲＩ系列の情報でない場合のみに適用することもできる。
【０２７６】
ΔＦ＿ＰＵＣＣＨ（ＦＣＱＩ＿ｏｎｌｙ）、ｗＣＱＩ＿ｏｎｌｙ、δＣＱＩ＿ｏｎｌｙはＵＣＩの組合によって適用できる。
【０２７７】
ＵＣＩの組合は、後述するＣＣＩ（ｃｏｎｔｅｎｔｓ  ｃｏｍｂｉｎａｔｉｏｎ  ｉｎｄｉｃａｔｏｒ）により与えられることができる。
【０２７８】
Ａ−２．Ａ／ＮがＰＵＣＣＨフォーマット３の参照信号シンボル変調により転送される場合のｎＨＡＲＱの定義。
【０２７９】
ＰＤＣＣＨからＡＲＩを受信できなかった場合、Ａ／Ｎ（及び／又はＳＲ）はＣＳＩを転送するために留保されたＰＵＣＣＨフォーマット３の参照信号シンボルを変調して転送できる。即ち、ＰＵＣＣＨフォーマット３を通じてＡ／Ｎが転送される方法は、１）ＣＳＩとジョイントコーディングされて転送される方法、２）ＰＵＣＣＨフォーマット３で転送される参照信号を変調して転送される方法がありうる。このように２つの方法が存在することを電力制御に反映する必要がある。
【０２８０】
例えば、Ａ／Ｎが上記１）の方法により転送されれば、その時のＡ／Ｎ（及び／又はＳＲ）はｎＨＡＲＱに反映し、Ａ／Ｎが上記２）の方法により転送されれば、その時のＡ／Ｎ（及び／又はＳＲ）はｎＨＡＲＱに反映しない。Ａ／Ｎを参照信号変調により転送する場合、ΔＦ＿ＰＵＣＣＨ（Ｆ）またはΔＦ＿ＰＵＣＣＨ（ＦＣＱＩ＿ｏｎｌｙ）にＡ／Ｎビット数を反映できるためである。
【０２８１】
Ａ／Ｎが上記２）のように参照信号変調により転送される場合、転送電力の最低保障値を設定することができる。例えば、Ａ／ＮがＰＵＣＣＨフォーマット３の参照信号シンボル変調により転送され、ＰＵＣＣＨフォーマット３のデータシンボルではＣＳＩのみ転送される場合を仮定する。この際、ＣＳＩのエラー要求条件のみに合せて転送電力を決定すれば、Ａ／Ｎのエラー要求条件を満たさない場合が発生することがある。したがって、ＣＳＩのみＰＵＣＣＨフォーマット３を通じて転送される場合とは異なり、Ａ／Ｎが参照信号シンボル変調によりＣＳＩと共に転送される場合には、上記最低保障値以上に転送電力を決定するものである。
【０２８２】
このために、上述したＡ、Ａ−１で説明した数式で、ｎＣＱＩをｍａｘ（ｎＣＱＩ、ｎＣＱＩ＿ｔｈｒｅｓｈｏｌｄ）に取り替えるすることができる。または、上述したＡ、Ａ−１で説明した数式でｈの最低保障値（ｈｔｈｒｅｓｈｏｌｄ）を設定してｈの代わりに次の式のようなｈ’を適用することもできる。
【０２８３】
（数２２）
ｈ’＝ｍａｘ（ｈ、ｈｔｈｒｅｓｈｏｌｄ）
【０２８４】
Ａ−３．内容組合指示子（ｃｏｎｔｅｎｔｓ  ｃｏｍｂｉｎａｔｉｏｎ  ｉｎｄｉｃａｔｏｒ：ＣＣＩ）が存在する場合の電力制御設定。
【０２８５】
端末はＰＵＣＣＨフォーマット３で転送されるＵＣＩの組合を知らせるために、ＣＣＩをＵＣＩとジョイントコーディングして転送することができる。この場合、ＣＣＩのビット数が情報ビットに追加されるので、情報ビットの個数によって決定される転送電力方法にＣＣＩのビット数を反映する必要がある。
【０２８６】
ＣＣＩのビット数をＮＣＣＩとする。すると、前述したＡからＡ−２の数式でｎＨＡＲＱはｎＨＡＲＱ＋ＮＣＣＩに取替できる。但し、ＣＣＩは参照信号変調により転送できるが、このような場合にはｎＨＡＲＱがｎＨＡＲＱ＋ＮＣＣＩに取替できない。また、ＣＣＩの転送電力の最低保障値を設定することができる。例えば、ＣＣＩがＰＵＣＣＨフォーマット３の参照信号シンボル変調により転送され、ＰＵＣＣＨフォーマット３のデータシンボルではＣＳＩのみ転送される場合を仮定する。この際、ＣＳＩのみＰＵＣＣＨフォーマット３を通じて転送される場合とは異なり、ＣＣＩが参照信号シンボル変調によりＣＳＩと共に転送される場合には、上記最低保障値以上に転送電力を決定するものである。
【０２８７】
Ａ−４．Ａ／ＮがＰＵＣＣＨフォーマット３の参照信号変調により転送される場合に対するオフセット適用。
【０２８８】
端末は、ＰＵＣＣＨフォーマット３が設定された状態でＰＵＣＣＨフォーマット３の資源を指示するＡＲＩを受信できないことがある。この場合、端末が該当サブフレームでＡ／Ｎを転送しなければならないと、ＰＵＣＣＨフォーマット３の参照信号シンボルの位相を変調して転送し、転送するＡ／Ｎが発生しなくてＡ／Ｎを転送する必要がなければ、ＣＳＩのみ転送することもできる。即ち、ＰＵＣＣＨフォーマット３が設定された状態でＰＵＣＣＨフォーマット３の資源を指示するＡＲＩを受信できなかった場合、ＣＳＩのみ転送するか、またはＣＳＩとＡ／Ｎとを同時に転送する２つの場合が存在することができる。２つの場合を区分して転送電力を設定する必要がある。
【０２８９】
１）Ａ／Ｎのみ転送する場合と異なるΔＦ＿ＰＵＣＣＨ（ＦＣＱＩ＿ｏｎｌｙ）を使用し、Ａ／Ｎのみ転送する場合と同一なｈ（ｎＣＱＩ、ｎＨＡＲＱ、ｎＳＲ）を使用する方法。例えば、ＣＱＩのみを特定ＰＵＣＣＨフォーマットで転送する場合、上記パラメータをΔＦ＿ＰＵＣＣＨ（ＦＣＱＩ＿ｏｎｌｙ）と表示し、Ａ／Ｎのみ転送する場合、上記パラメータをΔＦ＿ＰＵＣＣＨ（Ｆ）とすれば、ΔＦ＿ＰＵＣＣＨ（ＦＣＱＩ＿ｏｎｌｙ）＜ΔＦ＿ＰＵＣＣＨ（Ｆ）に設定することができる。
【０２９０】
２）Ａ／Ｎのみ転送する場合と同一なΔＦ＿ＰＵＣＣＨ（Ｆ）、Ａ／Ｎのみ転送する場合と異なる別途の電力オフセット（δＡＮｏｎＲＳ）が定義されたｈ（ｎＣＱＩ、ｎＨＡＲＱ、ｎＳＲ）を使用する方法。
【０２９１】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式２３＞に変形されることができ、その以外の場合には＜数式２４＞に変形できる。＜数式２３＞は二重ＲＭ、＜数式２４＞は単一ＲＭを使用することができる。
【０２９２】
【数２３】
0005859683.tif 000031
【０２９３】
【数２４】
0005859683.tif 000032
【０２９４】
上記＜数式２３＞、＜数式２４＞で、δＣＱＩ＿ｏｎｌｙ＞０である。
【０２９５】
３）Ａ／Ｎのみ転送する場合と同一なΔＦ＿ＰＵＣＣＨ（Ｆ）、Ａ／Ｎのみ転送する場合と異なる別途の重み付け値ファクター（ｗＡＮｏｎＲＳ）が定義されたｈ（ｎＣＱＩ、ｎＨＡＲＱ、ｎＳＲ）を使用する方法。
【０２９６】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式２５＞に変形されることができ、その以外の場合には＜数式２６＞に変形できる。＜数式２５＞は二重ＲＭ、＜数式２６＞は単一ＲＭを使用することができる。
【０２９７】
【数２５】
0005859683.tif 000033
【０２９８】
【数２６】
0005859683.tif 000034
【０２９９】
上記＜数式２５＞、＜数式２６＞で、ｗＡＮｏｎＲＳは定数（例えば、−１）でありうる。
【０３００】
４）Ａ／Ｎのみ転送する場合と同一なΔＦ＿ＰＵＣＣＨ（Ｆ）、Ａ／Ｎのみ転送する場合と異なる別途の電力オフセット（δＡＮｏｎＲＳ）及び重み付け値ファクター（ｗＡＮｏｎＲＳ）が定義されたｈ（ｎＣＱＩ、ｎＨＡＲＱ、ｎＳＲ）を使用する方法。
【０３０１】
例えば、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式２７＞に変形されることができ、その以外の場合には＜数式２８＞に変形できる。＜数式２７＞は二重ＲＭ、＜数式２８＞は単一ＲＭを使用することができる。
【０３０２】
【数２７】
0005859683.tif 000035
【０３０３】
【数２８】
0005859683.tif 000036
【０３０４】
上記＜数式２７＞、＜数式２８＞で、ｗＡＮｏｎＲＳは定数（例えば、−１）でありうる。
【０３０５】
Ｂ．全てのＵＣＩがジョイントコーディングされて転送される時、優先順位（エラー要求条件）別にＵＣＩに重み付け値を与えて転送電力を制御する方法。
【０３０６】
全てのＵＣＩにジョイントコーディングが使われる場合、ＵＣＩ＿ｒａｗに前処理過程（例えば、優先順位の高いＵＣＩに対してプリエンコーディングを遂行）を遂行した場合、または、ＵＣＩ構成比に従う平均的なエラー要求条件を合せる場合、優先順位の高いＵＣＩのペイロード（ｐａｙｌｏａｄ）には高い重み付け値を適用し、優先順位の低いＵＣＩのペイロードには低い重み付け値を適用して転送電力を決定することができる。
【０３０７】
例えば、Ａ／Ｎ（＋ＳＲ）に適用する重み付け値（ｗＨＡＲＱ）はＣＳＩに適用する重み付け値（ｗＣＱＩ）より高い重み付け値を適用することができる。ＰＵＣＣＨフォーマット３でビット数によって単一ＲＭ、二重ＲＭが選択的に適用される場合、ｈ（ｎＣＱＩ、ｎＨＡＲＱ、ｎＳＲ）は次の＜数式２９＞、＜数式３０＞によって決定できる。Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式２９＞に変形されることができ、その以外の場合には＜数式３０＞に変形できる。＜数式２９＞は二重ＲＭ、＜数式３０＞は単一ＲＭを使用することができる。
【０３０８】
【数２９】
0005859683.tif 000037
【０３０９】
【数３０】
0005859683.tif 000038
【０３１０】
仮に、Ａ／Ｎのエラー要求条件を合せないでＣＳＩ多重化に従うエラー率増加を許容すれば、ｗＨＡＲＱ＝１、ｗＣＱＩ≦１に重み付け値を設定することができる。これは、前処理過程でのＡ／Ｎビットがマッピングされる資源個数の増加によって、正常受信に必要な単位資源当たり電力必要量が減る場合に適用することができる。また、ｗＣＱＩ≦１によってＣＳＩ転送に不要に消耗される電力を低めることができる。
【０３１１】
Ｃ．各ＵＣＩが個別コーディングされて転送される時、優先順位（エラー要求条件）別にＵＣＩに重み付け値を設定して転送電力を設定する方法。
【０３１２】
ＵＣＩグループ別に個別コーディングが適用される場合、各ＵＣＩグループ別に要求されるエラー要求条件によってＰＵＣＣＨの資源要素（ＲＥ）の割当を調節することができる。この場合、ＵＣＩ＿ｒａｗビット数が各ＵＣＩグループ別に同一であっても転送電力を異なるように制御する必要がある。
【０３１３】
例えば、ＵＣＩ＿ｒａｗがＡ／Ｎ  １０ビットで構成された場合とＣＳＩ  １０ビットで構成された場合を仮定する。各場合に対し、転送電力制御を異なるようにする必要がある。なぜならば、各ＵＣＩのエラー要求条件が異なるためである。
【０３１４】
ｈ（ｎＣＱＩ、ｎＨＡＲＱ、ｎＳＲ）が次の＜数式３１＞のように与えられる場合、ｗＨＡＲＱ≧ｗＣＱＩに重み付け値を調節することができる。
【０３１５】
【数３１】
0005859683.tif 000039
【０３１６】
仮に、ｎＣＱＩ＝０であり、ｎＨＡＲＱ＋ｎＳＲ≦１１であれば、上記＜数式３１＞は次の＜数式３２＞のように構成できる。これは、Ａ／Ｎのみ転送する時と同一な転送電力を有するようにするためである。
【０３１７】
【数３２】
0005859683.tif 000040
【０３１８】
上記＜数式３１＞、＜数式３２＞で、重み付け値はコーディング技法がビット数によって変更される場合、コーディング技法別に設定されることもできる。
【０３１９】
上記＜数式３１＞、＜数式３２＞で、優先順位の高いＵＣＩグループをグループ１、その次に優先順位の高いＵＣＩグループをグループ２とする時、グループ１、グループ２は次の通り区分できる。
【０３２０】
１）グループ１＝｛Ａ／Ｎ、ＳＲ｝、グループ２＝｛ＲＩ、ＰＴＩ、Ｗ１、Ｗ２、ＣＱＩ｝
【０３２１】
２）グループ１＝｛Ａ／Ｎ、ＳＲ、ＲＩ、ＰＴＩ、Ｗ１｝、グループ２＝｛Ｗ２、ＣＱＩ｝、この場合、グループ１に適用される重み付け値ｗＧｒｏｕｐ１はグループ２に適用される重み付け値ｗＧｒｏｕｐ２より大きいことがある。この際、ｈ（ｎＧｒｏｕｐ１、ｎＧｒｏｕｐ２）＝ｗＧｒｏｕｐ１  ｎＧｒｏｕｐ１＋ｗＧｒｏｕｐ２  ｎＧｒｏｕｐ２＋Ｃで与えられることができる。即ち、ＣＳＩのうち、次の情報転送に影響を及ぼすＲＩ、ＴＰＩ、Ｗ１などをＡ／Ｎと同一な優先順位を与えるものである。
【０３２２】
３）グループ１＝｛Ａ／Ｎ、ＳＲ｝、グループ２＝｛ＲＩ、ＰＴＩ、Ｗ１｝、グループ３＝｛Ｗ２、ＣＱＩ｝、この場合、グループ１に適用される重み付け値ｗＧｒｏｕｐ１、グループ２に適用される重み付け値ｗＧｒｏｕｐ２、グループ３に適用される重み付け値ｗＧｒｏｕｐ３は、ｗＧｒｏｕｐ１＞ｗＧｒｏｕｐ２＞ｗＧｒｏｕｐ３でありうる。ＣＳＩのうち、次の情報転送に影響を及ぼすＲＩ、ＴＰＩ、Ｗ１などをＡ／Ｎよりは低い優先順位及びＣＱＩよりは高い優先順位を与えるものである。グループ２及び３がジョイントコーディングされれば、前述したＡ、Ｂの方法を使用することができる。
【０３２３】
Ｄ．各ＵＣＩが個別コーディングされて転送される時、優先順位（エラー要求条件）が最も高いＵＣＩのコーディングされたビットが転送されるＰＵＣＣＨ資源の割当比によって転送電力を制御する方法。
【０３２４】
ＰＵＣＣＨフォーマット３の場合、総４８個の資源要素（ＲＥ）が使用可能である。即ち、スロット当たりＰＵＣＣＨ使用可能資源要素個数を示すＮＰＵＣＣＨＲＥ＝２４である。１つのＲＥでは１つの変調シンボル（ｍｏｄｕｌａｔｉｏｎ  ｓｙｍｂｏｌ）が転送できる。仮に、ＵＣＩが個別コーディングされて、ＵＣＩ別にＵＣＩ＿ｃｏｄｅｄが転送されるＲＥ個数がエラー要求条件によって決定されれば、Ａ／Ｎ（＋ＳＲ）は既存Ａ／Ｎ（＋ＳＲ）のみ転送されていた状況に比べて減った個数のＲＥのみを割り当てられるようになる。なぜならば、ＣＳＩに一部ＰＵＣＣＨ  ＲＥが割り当てられるためである。既存の転送電力数式はＡ／Ｎ（＋ＳＲ）のみ転送される時のＲＥ個数を前提に決定されたものであるが、Ａ／Ｎ（＋ＳＲ）が減った個数のＲＥの割当を受ける時、既存の転送電力数式を同一に使用すれば、エラー要求条件を満たさないことがある。
【０３２５】
このような問題を解決するために、最も優先順位の高いＵＣＩグループが割当を受けたＲＥ個数（これをｎＧｒｏｕｐ１ＲＥと表示、これは１つのスロットを基準にすることができる、Ａ／Ｎの場合、ｎＡ／ＮＲＥと表示）とＰＵＣＣＨフォーマット全体の使用可能ＲＥ個数（これをＮＰＵＣＣＨＲＥと表示、１つのスロット基準）の比を考慮して転送電力を決定することができる。例えば、最優先順位を有するＵＣＩグループに割り当てられたＲＥ個数が減れば、その減ったＲＥ個数とＰＵＣＣＨフォーマット全体の使用可能ＲＥ個数の比によって上記最優先順位を有するＵＣＩグループの転送電力を増加させる。
【０３２６】
または、ＰＵＣＣＨの全体使用可能資源（例えば、ビット数）と割当資源（ビット数）の比で転送電力を補償することもできる。これは、次の＜数式３３＞、＜数式３４＞のように示すことができる。即ち、Ａ／Ｎ、ＳＲ、及びＣＳＩの総ビット数が１１ビットを超過する場合、上記＜数式１３＞のｈ（ｎＣＱＩ、ｎＨＡＲＱ、ｎＳＲ）は次の＜数式３３＞に変形されることができ、その以外の場合には＜数式３４＞  に変形できる。＜数式３３＞は二重ＲＭ、＜数式３４＞は単一ＲＭを使用することができる。
【０３２７】
【数３３】
0005859683.tif 000041
【０３２８】
【数３４】
0005859683.tif 000042
【０３２９】
ＵＣＩをグループ化し、ＵＣＩグループ１が｛Ａ／Ｎ、ＳＲ、ＲＩ、ＰＴＩ、Ｗ１｝で構成されれば、上記＜数式３３＞、＜数式３４＞は順次に次の＜数式３５＞、＜数式３６＞のように一般化できる。
【０３３０】
【数３５】
0005859683.tif 000043
【０３３１】
【数３６】
0005859683.tif 000044
【０３３２】
＜数式３３＞、＜数式３４＞は１つの数式でｈを表したものであるが、既存の＜数式１３＞のようにｈを求めた後、ＮＰＵＣＣＨＲＥ／ｎＧｒｏｕｐ１ＲＥのような割合を関数として有するオフセットを与えて転送電力を決定することもできる。即ち、上記＜数式３３＞、＜数式３４＞は順次に次の＜数式３７＞、＜数式３８＞のように示すことができる。
【０３３３】
【数３７】
0005859683.tif 000045
【０３３４】
【数３８】
0005859683.tif 000046
【０３３５】
特定ＵＣＩグループ（例：ＵＣＩグループ１）のＵＣＩ＿ｃｏｄｅｄが割り当てられるＲＥが減少する場合、上記特定ＵＣＩグループに対するコード率が増加するようになる。増加したコード率を補償するための補正値を転送電力制御に適用することもできる。次の＜数式３９＞はこのような補正値（ｂ、ｃ、ｄ）を適用した例である。この例において、ＵＣＩグループ１のＵＣＩがなければ、ＵＣＩグループ２に下記の数式は変更できる。
【０３３６】
【数３９】
0005859683.tif 000047
【０３３７】
また、上記＜数式３９＞で、特定ＵＣＩグループに割り当てられるＲＥの個数は最低保障値（ＮｔｈｒｅｓｈｏｌｄＲＥ）以上のみに設定されるように制限できる。即ち、上記＜数式３９＞は次の＜数式４０＞のように変形されることもできる。
【０３３８】
【数４０】
0005859683.tif 000048
【０３３９】
また、上記＜数式３９＞、＜数式４０＞で、ｈはｈ’に設定できるが、ｈ’はｍａｘ（ｈ、ｈｔｈｒｅｓｈｏｌｄ）でありうる。即ち、特定ＵＣＩグループの最小転送電力を保障するようにｈが設定される。
【０３４０】
Ｅ．Ａ／ＮがＣＳＩと共にＰＵＣＣＨフォーマット２／２ａ／２ｂで転送される時のｎＨＡＲＱの定義。
【０３４１】
端末に２つのセルが設定された状況で、プライマリセル（具体的に、ＤＬ  ＰＣＣ）に対するＡ／ＮはＰＵＣＣＨフォーマット２／２ａ／２ｂを通じて転送できる。より具体的に、ＰＵＣＣＨフォーマット２／２ａ／２ｂの２番目の参照信号シンボル変調を通じてＡ／Ｎが転送できる。そして、セカンダリセル（ＤＬ  ＳＣＣ）に対するＡ／ＮはＣＳＩとジョイントコーディングされて転送できる。
【０３４２】
この場合、既存ＰＵＣＣＨフォーマット２／２ａ／２ｂ（ノーマルＣＰ）に対する転送電力制御方法は、次の＜数式４１＞のように変更できる。
【０３４３】
【数４１】
0005859683.tif 000049
【０３４４】
上記＜数式４１＞で、ｎＨＡＲＱはプライマリセルに対するＡ／Ｎのビット数は考慮せず、セカンダリセルに対するＡ／Ｎのビット数となる。Ａ／Ｎが参照信号変調を通じて転送される場合にはｎＨＡＲＱにＡ／Ｎのビット数を反映しない。これは、ΔＦ＿ＰＵＣＣＨ（Ｆ）に反映できるためである。
【０３４５】
端末に２つのセルが設定された状況で、プライマリセルに対するＡ／Ｎとセカンダリセルに対するＡ／ＮをＣＳＩとジョイントコーディングして転送することもできる。この場合、各セル別に空間バンドリングが適用されたＡ／Ｎが転送できる。その時も既存の転送電力制御方法を変更する必要がある。即ち、ｎＨＡＲＱはジョイントコーディングされて転送される実際の最終Ａ／Ｎのビット数でありうる。
【０３４６】
例えば、プライマリセルのみで２つのコードワードを端末が受信した場合、端末は空間バンドリングにより１ビットのプライマリセルに対するＡ／Ｎを転送し、セカンダリセルに対するＡ／ＮフィールドはＮＡＣＫと同一に詰めて転送することができる。この際、プライマリセルのバンドリングされたＡ／Ｎ１ビットによってｎＨＡＲＱ＝１となる。仮に、端末がセカンダリセルでもコードワードを受信したならば、ｎＨＡＲＱ＝２となる。ＰＵＣＣＨフォーマット２／２ａ／２ｂ（ノーマルＣＰ）で転送電力の決定に必要なｈ（ｎＣＱＩ、ｎＨＡＲＱ、ｎＳＲ）は次の＜数式４２＞のように示すことができる。
【０３４７】
【数４２】
0005859683.tif 000050
【０３４８】
Ｆ．ＰＵＣＣＨフォーマット３が使われる時、ΔＦ＿ＰＵＣＣＨ（Ｘ）のためのＰＵＣＣＨフォーマットの分類。
【０３４９】
既存ＬＴＥ−Ａ  Ｒｅｌ−１０では、端末がＰＵＣＣＨフォーマット３を使用してＡ／Ｎを転送することは多重セルに対するＡ／Ｎを転送する場合だけであった。したがって、この場合ΔＦ＿ＰＵＣＣＨ（Ｆ）はΔＦ＿ＰＵＣＣＨ（ＰＵＣＣＨフォーマット３）を適用すればよかった。
【０３５０】
しかしながら、ＬＴＥ−Ａ  Ｒｅｌ−１１ではＰＵＣＣＨフォーマット３を通じて多重セルに対するＡ／ＮとＣＳＩとを多重化して転送することもサポートすることができる。したがって、従来のΔＦ＿ＰＵＣＣＨ（ＰＵＣＣＨフォーマット３）をそのまま使用することが非効率的な場合も発生することがある。したがって、ΔＦ＿ＰＵＣＣＨ（Ｘ）を適用するＰＵＣＣＨフォーマットＸを次の表のように細分することができる。
【０３５１】
【表９】
0005859683.tif 000051
【０３５２】
上記＜表９＞で、インデックス｛１｝、｛２、３、４｝は端末が動作するバージョン（Ｒｅｌｅａｓｅ）に従って許容されるＵＣＩ組合が変わるため、互いに異なるフォーマットに区分できる。Ａ／Ｎと同一なエラー要求条件を合せるという点では｛１｝、｛２、３、４｝が同一なオフセット値を適用することが好ましいが、互いに異なる値が適用されることもできる。
【０３５３】
上記＜表９＞で、インデックス｛４｝、｛５｝はＣＳＩ内容によって区分できる。｛４｝に適用される場合にはＲＩと共に以後のＣＳＩ転送に影響を及ぼす相対的にエラー要求条件の高いＵＣＩが含まれることができる。
【０３５４】
一方、上記＜表９＞で、｛４｝と｛５｝はＣＳＩのみ存在する時、エラー要求条件をどこで反映するかによって区分されるものである。オフセットで｛１、２、３｝と異に別途に反映することが好ましいが、同一なフォーマットで別途の条件でｈを異に反映することもできる。
【０３５５】
または、上記＜表９＞で具現の単純化のためにフォーマット３Ｂ０はフォーマット３Ｂ１と統合されることもできる。
【０３５６】
上記＜表９＞で、同一なフォーマットは同一なΔＦ＿ＰＵＣＣＨ（Ｆ）を使用することを意味する。ＵＣＩ組合によってフォーマット名称が変わっても同一なフォーマット名称の場合、同一なΔＦ＿ＰＵＣＣＨ（Ｆ）を使用する。
【０３５７】
Ｇ．ＰＵＣＣＨフォーマットでＡ／ＮとＣＳＩとが多重化される時、設定されたセルに基づいてＣＱＩビットフィールドの長さ（ビット数）が決定される場合、ＰＵＣＣＨの転送電力制御に適用されるｎＣＱＩ値の設定。
【０３５８】
既存のＬＴＥ−Ａでは、ＰＵＣＣＨフォーマット２でＣＳＩが転送される場合、ＣＳＩ転送は活性化されたセル（Ａｃｔｉｖａｔｅｄ  Ｃｅｌｌ）に対してのみ転送される。活性化された複数のセルに対するＣＳＩがＣＳＩ転送サブフレームで衝突する場合、ＣＳＩレポーティングタイプと搬送波インデックス値に従う予め定まった優先順位規則によって優先順位の高い１つのセルに対するＣＳＩのみ転送され、残りのセルに対するＣＳＩはドロップされる。
【０３５９】
ここで、端末がＰＵＣＣＨフォーマット２のチャンネルコーディングに使用するＲＭエンコーダの入力ＣＳＩビットフィールドの長さは選択された実際転送されるＣＳＩレポーティングタイプによって決定される。
【０３６０】
一方、上記例示したように、Ａ／ＮとＣＳＩとがＰＵＣＣＨフォーマットで（例えば、ＰＵＣＣＨフォーマット３）多重化されて転送される場合、チャンネルコーディングに使われるＲＭエンコーダの入力ＣＳＩビットフィールドの長さはＰＵＣＣＨフォーマット２でＣＳＩのみ転送される場合とは異なり、設定されたセル基準に選ばれ、これに基づいてコーディング技法選択（即ち、単一ＲＭまたは二重ＲＭ）、Ａ／ＮとＣＳＩレートマッチング割合設定などを遂行することができる。ここで、不活性化されたセルに対するＣＳＩ情報は有用性がないので、該当ＣＳＩビットフィールドに実際転送されるＣＳＩ内容（ＣＳＩレポーティングタイプ）はＰＵＣＣＨフォーマット２のように活性化されたセル基準に選ばれた値になることができ、残りのビットは０（または、１）で詰められる。即ち、ＣＳＩビットフィールドの長さは実際転送されるＣＳＩレポーティングタイプのビット数より大きいか、等しいことがある。
【０３６１】
上述したように設定されたセルを基準にＣＳＩビットフィールドの長さを決定する理由は、活性化されたセルを基準にＣＳＩビットフィールドの長さを設定する場合、端末と基地局との間のセル活性化／不活性化に対する不一致（ｍｉｓａｌｉｇｎｍｅｎｔ）が発生すれば、優先順位規則によってＣＳＩビットフィールドの長さが変わることがあり、その結果、コーディング技法の選択やＡ／ＮとＣＳＩとのレートマッチング割合設定が変わるようになって、ＣＳＩだけでなくＡ／Ｎのデコーディングにも影響を及ぼすことがあるためである。
【０３６２】
したがって、ＣＳＩビットフィールドの長さとＣＳＩビットフィールドで転送されるＣＳＩレポーティングタイプのビット数が異なる時、ＰＵＣＣＨ電力制御に適用されるｎＣＱＩは次のような２つ方法のうち、１つを使用することができる。
【０３６３】
１）ｎＣＱＩ値を実際転送されるＣＳＩレポーティングタイプのビット数に設定する方法：端末と基地局との間のセル活性化／不活性化に不一致が発生しなくてＣＳＩ内容に対する不一致も発生しない場合、基地局は実際転送されるＣＳＩ内容の長さに対する情報を知ることができるので、基地局のデコーダーはＣＳＩビットフィールド全体の組合に対して全体検索（ｆｕｌｌ  ｓｅａｒｃｈ）を行う必要無しで実際転送されるＣＳＩ内容に対する全体検索のみをして見ればよい。したがって、転送電力を実際転送されるＣＳＩレポーティングタイプのビット数（例えば、活性化されたセル基準に選ばれたＣＳＩレポーティングタイプのビット数）に従って割り当てても充分である。したがって、セル活性化／不活性化誤りが小さく発生する場合、端末の転送電力の効率的な管理のためにｎＣＱＩ値をＣＳＩビットフィールドの長さの代わりに実際転送されるＣＳＩレポーティングタイプのビット数に設定することが有用である。
【０３６４】
２）ｎＣＱＩ値をＣＳＩビットフィールドの長さに設定する方法：端末と基地局との間のセル活性化／不活性化に不一致が発生してＣＳＩ内容にも不一致が発生することがある。この場合、端末が転送したＣＳＩ内容に基地局が期待しない基本シーケンス（ｂａｓｉｓ  ｓｅｑｕｅｎｃｅ）が含まれるようになることができる。例えば、誤り無しで活性化されたセル基準に選択されたＣＳＩ内容より多いＣＳＩ内容が誤りにより選択される場合、超過するＣＳＩビットがマッピングされる基本シーケンスが含まれることができる。これを考慮せず、デコーディングを試みる場合、Ａ／Ｎを含んだ全体のエンコーディングされたビットのデコーディング性能が低下することがある。したがって、セル活性化／不活性化誤りが大いに発生する場合、基地局のデコーダはＣＳＩビットフィールド全体の組合に対して全体検索を行ってデコーディングを試みても性能低下がないようにｎＣＱＩ値をＣＳＩビットフィールドの長さ（例えば、設定されたセルを基準に選択されたビット数）に設定して転送電力を余裕あるように割り当てることが有用である。
【０３６５】
図１７は、本発明の実施形態が具現される基地局及び端末を示すブロック図である。
【０３６６】
基地局１００は、プロセッサ１１０（ｐｒｏｃｅｓｓｏｒ）、メモリ１２０（ｍｅｍｏｒｙ）、及びＲＦ部１３０（Ｒａｄｉｏ  Ｆｒｅｑｕｅｎｃｙｕｎｉｔ）を含む。プロセッサ１１０は、提案された機能、過程及び／又は方法を具現する。無線インターフェースプロトコルの階層はプロセッサ１１０により具現できる。プロセッサ１１０はＲＲＣメッセージのような上位階層信号を通じて端末がＵＣＩを転送するＰＵＣＣＨフォーマットを設定し、参照信号及びデータを転送し、端末からＵＣＩを受信する。メモリ１２０はプロセッサ１１０と連結されて、プロセッサ１１０を駆動するための多様な情報を格納する。ＲＦ部１３０はプロセッサ１１０と連結されて、無線信号を転送及び／又は受信する。
【０３６７】
端末２００は、プロセッサ２１０、メモリ２２０、及びＲＦ部２３０を含む。プロセッサ２１０は提案された機能、過程及び／又は方法を具現する。無線インターフェースプロトコルの階層はプロセッサ２１０により具現できる。プロセッサ２１０は、上位階層信号を通じてＰＵＣＣＨフォーマットの設定を受けて、サービングセルの設定を受ける。ＰＵＣＣＨフォーマットに従属的な値に基づいてＰＵＣＣＨに適用する転送電力を決定した後、少なくとも１種類のＵＣＩを上記転送電力でＰＵＣＣＨを介して転送する。メモリ２２０はプロセッサ２１０と連結されて、プロセッサ２１０を駆動するための多様な情報を格納する。ＲＦ部２３０はプロセッサ２１０と連結されて、無線信号を転送及び／又は受信する。
【０３６８】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を含むことができる。ＲＦ部１３０、２３０は、無線信号を処理するためのベースバンド回路を含むことができる。実施形態がソフトウェアで具現される時、上述した技法は上述した機能を遂行するモジュール（過程、機能など）で具現できる。モジュールはメモリ１２０、２２０に格納され、プロセッサ１１０、２１０により実行できる。メモリ１２０、２２０は、プロセッサ１１０、２１０の内部または外部にあることがあり、よく知られた多様な手段でプロセッサ１１０、２１０と連結できる。
【図１】
0005859683.tif 000052
【図２】
0005859683.tif 000053
【図３】
0005859683.tif 000054
【図４】
0005859683.tif 000055
【図５】
0005859683.tif 000056
【図６】
0005859683.tif 000057
【図７】
0005859683.tif 000058
【図８】
0005859683.tif 000059
【図９】
0005859683.tif 000060
【図１０】
0005859683.tif 000061
【図１１】
0005859683.tif 000062
【図１２】
0005859683.tif 000063
【図１３】
0005859683.tif 000064
【図１４】
0005859683.tif 000065
【図１５】
0005859683.tif 000066
【図１６】
0005859683.tif 000067
【図１７】
0005859683.tif 000068